(57)【要約】【課題】ボイラー内を流れる加熱流体の熱の有効利用を図る。【解決手段】ボイラープラントＢＰ１は、加熱流体で水を加熱して蒸気を発生するボイラー２０と、ボイラー２０からの蒸気を利用する蒸気利用装置４１，４３と、加熱流体の熱エネルギーを除くエネルギーを少なくとも利用して、水又は蒸気を加熱する加熱装置Ｈと、を備える。ボイラー２０は、水又は蒸気を加熱する一以上の蒸発器２２，２６を有する。一以上の蒸発器のうち、内部圧力が最も高い第一蒸発器２６は、第一蒸発器２６内の圧力における定圧比熱が極大となる定圧比熱極大温度未満の水又は蒸気を、定圧比熱極大温度以上に加熱する。加熱装置Ｈは、定圧比熱極大温度未満の水又は蒸気を定圧比熱極大温度以上に加熱する。【選択図】図１
2019173711.tif 000002
【特許請求の範囲】
【請求項１】
加熱流体で水を加熱して蒸気を発生するボイラーと、
前記ボイラーからの蒸気を利用する蒸気利用装置と、
前記ボイラーと前記蒸気利用装置とを接続する接続ラインと、
前記加熱流体の熱エネルギーを除くエネルギーを少なくとも利用して、水又は蒸気を加熱する加熱装置と、
前記加熱装置に水又は蒸気を送る加熱前ラインと、
前記加熱装置で加熱された水又は蒸気を蒸気受入先に送る加熱後ラインと、
を備え、
前記ボイラーは、水又は蒸気が流れるボイラー内ラインと、水又は蒸気を加熱する一以上の蒸発器と、を有し、
前記一以上の蒸発器のうち、内部圧力が最も高い第一蒸発器は、前記第一蒸発器内の圧力における定圧比熱が極大となる定圧比熱極大温度未満の水又は蒸気を、前記定圧比熱極大温度以上に加熱し、
前記加熱前ラインは、前記蒸気利用装置、前記接続ライン及び前記ボイラー内ライン中で、前記定圧比熱極大温度未満の水又は蒸気が流れる低温部に接続され、前記低温部中の水又は蒸気を前記加熱装置に送り、
前記加熱装置は、前記低温部中の水又は蒸気を前記定圧比熱極大温度以上に加熱する能力を有する、
ボイラープラント。
【請求項２】
請求項１に記載のボイラープラントにおいて、
前記加熱装置は、前記加熱流体の熱エネルギーを除くエネルギーのみを利用して、水又は蒸気を加熱する加熱器を有する、
ボイラープラント。
【請求項３】
請求項１に記載のボイラープラントにおいて、
前記蒸気利用装置は、蒸気タービンを有する、
ボイラープラント。
【請求項４】
請求項３に記載のボイラープラントにおいて、
前記加熱装置には、前記加熱前ラインを経て前記蒸気タービンから排気された排気蒸気が流入し、前記加熱装置は、前記蒸気タービンから排気された排気蒸気を加熱する、
ボイラープラント。
【請求項５】
請求項３に記載のボイラープラントにおいて、
前記蒸気利用装置は、前記蒸気タービンとして、第一蒸気タービンと、前記第一蒸気タービンより低い圧力の蒸気で駆動する第二蒸気タービンと、を有し、
前記加熱装置には、前記加熱前ラインを経て前記第一蒸気タービンから排気された排気蒸気が流入し、前記加熱装置は、前記排気蒸気を加熱し、加熱した前記排気蒸気を、前記加熱後ラインを経て、前記第二蒸気タービンに送る、
ボイラープラント。
【請求項６】
請求項４に記載のボイラープラントにおいて、
前記ボイラーは、前記蒸気タービンから排気された前記排気蒸気と前記加熱流体とを熱交換させて、前記排気蒸気を加熱する再熱器を有し、
前記加熱装置は、前記加熱流体の熱エネルギーを除くエネルギーのみを利用して、水又は蒸気を加熱する加熱器を有し、
前記加熱器は、前記再熱器から流出した前記排気蒸気又は前記再熱器に流入する前記排気蒸気を加熱する、
ボイラープラント。
【請求項７】
請求項６に記載のボイラープラントにおいて、
前記再熱器は、前記第一蒸発器を基準にして、前記加熱流体の流れ方向の下流側に配置されている下流側再熱器を有し、
前記加熱器は、前記下流側再熱器で加熱された前記排気蒸気を加熱する、
ボイラープラント。
【請求項８】
請求項６又は７に記載のボイラープラントにおいて、
前記再熱器は、前記第一蒸発器と前記加熱流体の流れ方向で同じ位置、又は前記第一蒸発器を基準にして、前記加熱流体の流れ方向の上流側に配置されている上流側再熱器を有し、
前記上流側再熱器は、前記加熱器で加熱された前記排気蒸気を加熱する、
ボイラープラント。
【請求項９】
請求項８に記載のボイラープラントにおいて、
前記加熱装置は、前記加熱器と前記上流側再熱器とを有する、
ボイラープラント。
【請求項１０】
請求項２、６から９のいずれか一項に記載のボイラープラントにおいて、
前記加熱器は、他のプラント内の熱を利用して水又は蒸気を加熱するプラント外熱交換器を有する、
ボイラープラント。
【請求項１１】
請求項２、６から１０のいずれか一項に記載のボイラープラントにおいて、
空気を圧縮する圧縮機と、前記圧縮機で圧縮された空気中で燃料を燃焼させて燃焼ガスを生成する燃焼器と、前記燃焼ガスで駆動するタービンと、を有するガスタービンをさらに備え、
前記ボイラーは、前記タービンから排気された燃焼ガスである排気ガスを前記加熱流体とする排熱回収ボイラーである、
ボイラープラント。
【請求項１２】
請求項１１に記載のボイラープラントにおいて、
前記圧縮機で圧縮された高温高圧の空気の一部と第一冷却媒体とを熱交換させて、前記圧縮機からの空気を冷却する一方で、前記第一冷却媒体を加熱し、前記ガスタービン中で前記燃焼ガスと接する高温部品に、冷却した空気を送る空気冷却器をさらに備え、
前記加熱器は、前記加熱器の加熱対象である水又は蒸気を前記第一冷却媒体とする前記空気冷却器を有する、
ボイラープラント。
【請求項１３】
請求項１１又は１２に記載のボイラープラントにおいて、
前記ガスタービン中で前記燃焼ガスと接する高温部品には、第二冷却媒体が通る媒体通路が形成され、
前記加熱器は、前記加熱器の加熱対象である水又は蒸気を前記第二冷却媒体とする前記高温部品を有する、
ボイラープラント。
【請求項１４】
請求項１１から１３のいずれか一項に記載のボイラープラントにおいて、
前記圧縮機は、空気を圧縮する第一圧縮部と、前記第一圧縮部で圧縮された空気をさらに圧縮する第二圧縮部とを有し、
前記第一圧縮部で圧縮された空気と第三冷却媒体とを熱交換させて、前記第一圧縮部からの空気を冷却する一方で、前記第三冷却媒体を加熱し、冷却した空気を前記第二圧縮部に送る中間冷却器をさらに備え、
前記加熱器は、前記加熱器の加熱対象である水又は蒸気を前記第三冷却媒体とする前記中間冷却器を有する、
ボイラープラント。
【請求項１５】
請求項１１から１４のいずれか一項に記載のボイラープラントにおいて、
前記燃焼器に流入する前記燃料を前記加熱器で加熱された水又は蒸気加熱媒体で加熱する燃料予熱器をさらに備える、
ボイラープラント。
【請求項１６】
加熱流体で水を加熱して蒸気を発生する一以上の蒸発器を有するボイラーと、前記ボイラーからの蒸気を利用する蒸気利用装置と、前記ボイラーと前記蒸気利用装置とを接続する接続ラインと、を備えるボイラープラントの運転方法において、
前記一以上の蒸発器のうち、内部圧力が最も高い第一蒸発器により、前記第一蒸発器内の圧力における定圧比熱が極大となる定圧比熱極大温度未満の水又は蒸気を、前記定圧比熱極大温度以上に加熱する蒸気発生工程と、
前記加熱流体の熱エネルギーを除くエネルギーを少なくとも利用して、前記蒸気利用装置、前記接続ライン中及び前記ボイラー内のライン中の水又は蒸気のうちで、前記定圧比熱極大温度未満の水又は蒸気を、前記定圧比熱極大温度以上に加熱する加熱工程と、
を実行するボイラープラントの運転方法。
【請求項１７】
請求項１６に記載のボイラープラントの運転方法において、
前記加熱工程は、前記加熱流体の熱エネルギーを除くエネルギーのみを利用して、水又は蒸気を加熱するボイラー外加熱工程を含む、
ボイラープラントの運転方法。
【請求項１８】
請求項１６に記載のボイラープラントの運転方法において、
前記蒸気利用装置は、蒸気タービンを有し、
前記加熱工程では、前記蒸気タービンから排気された排気蒸気を加熱する、
ボイラープラントの運転方法。
【請求項１９】
請求項１６に記載のボイラープラントの運転方法において、
前記蒸気利用装置は、蒸気で駆動する第一蒸気タービンと、前記第一蒸気タービンより低い圧力の蒸気で駆動する第二蒸気タービンと、を有し、
前記加熱工程では、前記第一蒸気タービンから排気された排気蒸気を加熱し、
前記加熱工程で加熱された前記排気蒸気を前記第二蒸気タービンに送る、
ボイラープラントの運転方法。
【請求項２０】
請求項１８に記載のボイラープラントの運転方法において、
前記蒸気タービンから排気された前記排気蒸気と前記加熱流体とを熱交換させて、前記排気蒸気を加熱する再熱工程をさらに実行し、
前記加熱工程は、前記加熱流体の熱エネルギーを除くエネルギーのみを利用して、水又は蒸気を加熱するボイラー外加熱工程を含み、
前記ボイラー外加熱工程では、前記再熱工程で加熱された前記排気蒸気又は前記再熱工程で加熱される前の前記排気蒸気を加熱する、
ボイラープラントの運転方法。
【請求項２１】
請求項２０に記載のボイラープラントの運転方法において、
前記再熱工程は、前記第一蒸発器を基準にして、前記加熱流体の流れ方向の下流側で、前記排気蒸気と前記加熱流体とを熱交換させる下流側再熱工程を含み、
前記ボイラー外加熱工程では、前記下流側再熱工程で加熱された前記排気蒸気を加熱する、
ボイラープラントの運転方法。
【請求項２２】
請求項２０又は２１に記載のボイラープラントの運転方法において、
前記再熱工程は、前記第一蒸発器と前記加熱流体の流れ方向で同じ位置で、又は前記第一蒸発器を基準にして前記加熱流体の流れ方向の上流側で、前記排気蒸気と前記加熱流体とを熱交換させる上流側再熱工程を含み、
前記上流側再熱工程では、前記ボイラー外加熱工程で加熱された前記排気蒸気を加熱する、
ボイラープラントの運転方法。
【請求項２３】
請求項２２に記載のボイラープラントの運転方法において、
前記加熱工程は、前記ボイラー外加熱工程と前記上流側再熱工程とを含む、
ボイラープラントの運転方法。
【請求項２４】
請求項１７、２０から２３のいずれか一項に記載のボイラープラントの運転方法において、
前記ボイラー外加熱工程は、他のプラント内の熱を利用して、水又は蒸気を加熱するプラント外加熱工程を含む、
ボイラープラントの運転方法。
【請求項２５】
請求項１７、２０から２３のいずれか一項に記載のボイラープラントの運転方法において、
前記ボイラープラントは、空気を圧縮する圧縮機と、前記圧縮機で圧縮された空気中で燃料を燃焼させて燃焼ガスを生成する燃焼器と、前記燃焼ガスで駆動するタービンと、を有するガスタービンをさらに備え、
前記ボイラーは、前記タービンから排気された燃焼ガスである排気ガスを前記加熱流体とする、
ボイラープラントの運転方法。
【請求項２６】
請求項２５に記載のボイラープラントの運転方法において、
前記圧縮機で圧縮された高温高圧の空気の一部と第一冷却媒体とを熱交換させて、前記圧縮機からの空気を冷却する一方で、前記第一冷却媒体を加熱し、前記ガスタービン中で前記燃焼ガスと接する高温部品に、冷却した空気を送る空気冷却工程をさらに実行し、
前記ボイラー外加熱工程は、前記ボイラー外加熱工程での加熱対象である水又は蒸気を前記第一冷却媒体とする前記空気冷却工程を含む、
ボイラープラントの運転方法。
【請求項２７】
請求項２５又は２６に記載のボイラープラントの運転方法において、
前記ガスタービン中で前記燃焼ガスと接する高温部品に第二冷却媒体を送って、前記高温部品を冷却する一方で、前記第二冷却媒体を加熱する高温部品冷却工程をさらに実行し、
前記ボイラー外加熱工程は、前記ボイラー外加熱工程での加熱対象である水又は蒸気を前記第二冷却媒体とする前記高温部品冷却工程を含む、
ボイラープラントの運転方法。
【請求項２８】
請求項２５から２７のいずれか一項に記載のボイラープラントの運転方法において、
前記圧縮機は、空気を圧縮する第一圧縮部と、前記第一圧縮部で圧縮された第二圧縮部とを有し、
前記第一圧縮部で圧縮された空気と第三冷却媒体とを熱交換させて、前記第一圧縮機からの空気を冷却する一方で、前記第三冷却媒体を加熱し、冷却した空気を前記第二圧縮部に送る中間冷却工程をさらに実行し、
前記ボイラー外加熱工程は、前記ボイラー外加熱工程での加熱対象である水又は蒸気を前記第三冷却媒体とする前記中間冷却工程を含む、
ボイラープラントの運転方法。
【請求項２９】
請求項２５から２８のいずれか一項に記載のボイラープラントの運転方法において、
前記燃焼器に流入する前記燃料を前記ボイラー外加熱工程で加熱された水又は蒸気で加熱する燃料予熱工程をさらに実行する、
ボイラープラントの運転方法。
【発明の詳細な説明】
【技術分野】
【０００１】
本発明は、蒸気を発生するボイラーと、このボイラーからの蒸気を利用する蒸気利用装置と、を備えるボイラープラント、及びその運転方法に関する。
【背景技術】
【０００２】
以下の特許文献１に記載のボイラープラントは、ガスタービンと、ガスタービンからの排気ガスである加熱流体の熱を利用して蒸気を発生する排熱回収ボイラーと、複数の蒸気タービンと、を備えている。
【０００３】
このボイラープラントでは、複数の蒸気タービンとして、高圧蒸気タービンと、高圧蒸気タービンから排気された蒸気で駆動する中圧蒸気タービンと、中圧蒸気タービンから排気されて再熱された蒸気で駆動する低圧蒸気タービンとを有する。排熱回収ボイラーは、高圧蒸気タービンに供給する水を加熱する高圧節炭器（HPECO1）と、高圧節炭器（HPECO1）で加熱された水を加熱して蒸気にする高圧蒸発器（HPEVA）と、高圧蒸発器（HPEVA）で発生した蒸気を過熱する下流側高圧過熱器（HPSH2）と、下流側高圧過熱器（HPSH2）で過熱された蒸気をさらに過熱する上流側高圧過熱器（HPSH1）と、中圧蒸気タービンから排気された蒸気を加熱する下流側再熱器（RH2）と、下流側再熱器（RH2）で加熱された蒸気をさらに加熱する上流再熱器（RH1）と、を有する。上流側高圧過熱器（HPSH1）で過熱された蒸気は、高圧蒸気として高圧蒸気タービンに供給される。また、上流側再熱器（RH1）で加熱された蒸気は、再熱蒸気として低圧蒸気タービンに供給される。
【０００４】
下流側再熱器（RH2）は、排熱回収ボイラー中を流れる排気ガスの流れ方向で、高圧蒸発器（HPEVA）よりも下流側に配置されている。また、上流側再熱器（RH1）は、排気ガスの流れ方向で、高圧蒸発器（HPEVA）よりも上流側に配置されている。よって、低圧蒸気タービンには、高圧蒸発器（HPEVA）より下流側に配置されている下流側再熱器（RH2）と、高圧蒸発器（HPEVA）より上流側に配置されている上流側再熱器（RH1）とで加熱された蒸気が供給される。
【先行技術文献】
【特許文献】
【０００５】
【特許文献１】特開２００９−０９２３７２号公報
【発明の概要】
【発明が解決しようとする課題】
【０００６】
ボイラープラントでは、ボイラー内を流れる加熱流体の熱の有効利用を図ることが望まれている。
【０００７】
そこで、本発明は、ボイラー内を流れる加熱流体の熱の有効利用を図ることができるボイラープラント、及びその運転方法を提供することを目的とする。
【課題を解決するための手段】
【０００８】
上記目的を達成するための発明に係る一態様としてのボイラープラントは、
加熱流体で水を加熱して蒸気を発生するボイラーと、前記ボイラーからの蒸気を利用する蒸気利用装置と、前記ボイラーと前記蒸気利用装置とを接続する接続ラインと、前記加熱流体の熱エネルギーを除くエネルギーを少なくとも利用して、水又は蒸気を加熱する加熱装置と、前記加熱装置に水又は蒸気を送る加熱前ラインと、前記加熱装置で加熱された水又は蒸気を蒸気受入先に送る加熱後ラインと、を備える。前記ボイラーは、水又は蒸気が流れるボイラー内ラインと、水又は蒸気を加熱する一以上の蒸発器と、を有する。前記一以上の蒸発器のうち、内部圧力が最も高い第一蒸発器は、前記第一蒸発器内の圧力における定圧比熱が極大となる定圧比熱極大温度未満の水又は蒸気を、前記定圧比熱極大温度以上に加熱する。前記加熱前ラインは、前記蒸気利用装置、前記接続ライン及び前記ボイラー内ライン中で、前記定圧比熱極大温度未満の水又は蒸気が流れる低温部に接続され、前記低温部中の水又は蒸気を前記加熱装置に送る。前記加熱装置は、前記低温部中の水又は蒸気を前記定圧比熱極大温度以上に加熱する能力を有する。
【０００９】
蒸気利用装置が、例えば、複数の蒸気タービンの集まりである蒸気タービン群とする。蒸気タービン群を蒸気が通過する過程で、蒸気のエネルギー落差が大きければ大きいほど、蒸気タービン群全体から得られる出力が大きくなる。蒸気タービン群から排気された蒸気は、最終的に復水器で水に戻されてから、ボイラーに戻される。復水器に流入する蒸気の温度及び圧力は、この復水器で蒸気を冷却する水等の温度により必然的に定まる。一以上の蒸発器のうち、内部圧力が最も高い第一蒸発器で発生する蒸気は最も圧力が高く、復水器に至るまでの間に大きな圧力比で膨張し、最も大きなエネルギー落差で出力を取り出すことができる。すなわち、第一蒸発器で発生する蒸気の価値は、他の蒸発器で発生する蒸気の価値より高い。従って、第一蒸発器で発生する蒸気の流量を増大することは蒸気タービン群の出力、効率を高めるために極めて重要である。
【００１０】
第一蒸発器は、第一蒸発器内の圧力での定圧比熱が極大となる定圧比熱極大温度Ｔmax未満の温度の水又は蒸気を定圧比熱極大温度Ｔmax以上に加熱する。この極大温度Ｔmax付近の温度での流体の比熱は大きい。このため、第一蒸発器では、温度上昇に多くの熱を必要とする。第一蒸発器で発生可能な蒸気の流量は、第一蒸発器で利用できる定圧比熱極大温度Ｔmax付近の温度レベルの熱量で決まる。従って、第一蒸発器に定圧比熱極大温度Ｔmax付近の温度レベルの熱を多く投入し、第一蒸発器で発生する蒸気の流量を増大することは蒸気タービン群の出力、効率を高めるために極めて重要なのである。
【００１１】
本態様では、接続ライン及びボイラー内ライン中の低温部を流れる定圧比熱極大温度Ｔmax未満の温度の蒸気又は水を、加熱装置で、定圧比熱極大温度以上に加熱する。この加熱装置は、ボイラー内を流れる加熱流体の熱エネルギーを除くエネルギーを少なくとも利用して、水又は蒸気を加熱する。このため、加熱流体が持つ熱量のうち、第一蒸発器で消費できる、定圧比熱極大温度Ｔmax付近の温度レベルの熱量が多くなる。従って、第一蒸発器で発生する蒸気の流量を増大し、蒸気タービン群の出力、効率を高めることができる。すなわち、本態様では、加熱流体が持つ熱のうち、定圧比熱極大温度Ｔmax付近の温度レベルの熱を第一蒸発器で有効利用することができる。
【００１２】
ここで、前記一態様のボイラープラントにおいて、前記加熱装置は、前記加熱流体の熱エネルギーを除くエネルギーのみを利用して、水又は蒸気を加熱する加熱器を有してもよい。
【００１３】
また、前記一態様のボイラープラントにおいて、前記蒸気利用装置は、蒸気タービンを有してもよい。
【００１４】
前記蒸気タービンを有する前記ボイラープラントにおいて、前記加熱装置には、前記加熱前ラインを経て前記蒸気タービンから排気された排気蒸気が流入し、前記加熱装置は、前記蒸気タービンから排気された排気蒸気を加熱してもよい。
【００１５】
また、前記蒸気タービンを有する前記ボイラープラントにおいて、前記蒸気利用装置は、前記蒸気タービンとして、第一蒸気タービンと、前記第一蒸気タービンより低い圧力の蒸気で駆動する第二蒸気タービンと、を有してもよい。この場合、前記加熱装置には、前記加熱前ラインを経て前記第一蒸気タービンから排気された排気蒸気が流入し、前記加熱装置は、前記排気蒸気を加熱し、加熱した前記排気蒸気を、前記加熱後ラインを経て、前記第二蒸気タービンに送ってもよい。
【００１６】
前記蒸気タービンを有する前記ボイラープラントにおいて、前記ボイラーは、前記蒸気タービンから排気された前記排気蒸気と前記加熱流体とを熱交換させて、前記排気蒸気を加熱する再熱器を有してもよい。この場合、前記加熱装置は、前記加熱流体の熱エネルギーを除くエネルギーのみを利用して、水又は蒸気を加熱する加熱器を有してもよい。前記加熱器は、前記再熱器から流出した前記排気蒸気又は前記再熱器に流入する前記排気蒸気を加熱する。
【００１７】
前記再熱器を有する前記ボイラープラントにおいて、前記再熱器は、前記第一蒸発器を基準にして、前記加熱流体の流れ方向の下流側に配置されている下流側再熱器を有してもよい。この場合、前記加熱器は、前記下流側再熱器で加熱された前記排気蒸気を加熱する。
【００１８】
前記再熱器を有する前記ボイラープラントにおいて、前記再熱器は、前記第一蒸発器と前記加熱流体の流れ方向で同じ位置、又は前記第一蒸発器を基準にして、前記加熱流体の流れ方向の上流側に配置されている上流側再熱器を有してもよい。この場合、前記上流側再熱器は、前記加熱器で加熱された前記排気蒸気を加熱する。
【００１９】
前記上流側再熱器を有する前記ボイラープラントにおいて、前記加熱装置は、前記加熱器と前記上流側再熱器とを有してもよい。
【００２０】
前記加熱器を有する前記ボイラープラントにおいて、前記加熱器は、他のプラント内の熱を利用して水又は蒸気を加熱するプラント外熱交換器を有してもよい。
【００２１】
前記加熱器を有する前記ボイラープラントにおいて、空気を圧縮する圧縮機と、前記圧縮機で圧縮された空気中で燃料を燃焼させて燃焼ガスを生成する燃焼器と、前記燃焼ガスで駆動するタービンと、を有するガスタービンをさらに備えてもよい。この場合、前記ボイラーは、前記タービンから排気された燃焼ガスである排気ガスを前記加熱流体とする排熱回収ボイラーである。
【００２２】
前記ガスタービンを備える前記ボイラープラントにおいて、前記圧縮機で圧縮された高温高圧の空気の一部と第一冷却媒体とを熱交換させて、前記圧縮機からの空気を冷却する一方で、前記第一冷却媒体を加熱し、前記ガスタービン中で前記燃焼ガスと接する高温部品に、冷却した空気を送る空気冷却器をさらに備えてもよい。この場合、前記加熱器は、前記加熱器の加熱対象である水又は蒸気を前記第一冷却媒体とする前記空気冷却器を有する。
【００２３】
前記ガスタービンを備える前記ボイラープラントにおいて、前記ガスタービン中で前記燃焼ガスと接する高温部品には、第二冷却媒体が通る媒体通路が形成され、前記加熱器は、前記加熱器の加熱対象である水又は蒸気を前記第二冷却媒体とする前記高温部品を有してもよい。
【００２４】
前記ガスタービンを備える前記ボイラープラントにおいて、
前記圧縮機は、空気を圧縮する第一圧縮部と、前記第一圧縮部で圧縮された空気をさらに圧縮する第二圧縮部とを有し、前記第一圧縮部で圧縮された空気と第三冷却媒体とを熱交換させて、前記第一圧縮部からの空気を冷却する一方で、前記第三冷却媒体を加熱し、冷却した空気を前記第二圧縮部に送る中間冷却器をさらに備えてもよい。この場合、前記加熱器は、前記加熱器の加熱対象である水又は蒸気を前記第三冷却媒体とする前記中間冷却器を有する。
【００２５】
前記ガスタービンを備える前記ボイラープラントにおいて、前記燃焼器に流入する前記燃料を前記加熱器で加熱された水又は蒸気加熱媒体で加熱する燃料予熱器をさらに備えてもよい。
【００２６】
上記目的を達成するための発明に係る一態様としてのボイラープラントの運転方法は、
加熱流体で水を加熱して蒸気を発生する一以上の蒸発器を有するボイラーと、前記ボイラーからの蒸気を利用する蒸気利用装置と、前記ボイラーと前記蒸気利用装置とを接続する接続ラインと、を備えるボイラープラントの運転方法である。この運転方法では、前記一以上の蒸発器のうち、内部圧力が最も高い第一蒸発器により、前記第一蒸発器内の圧力における定圧比熱が極大となる定圧比熱極大温度未満の水又は蒸気を、前記定圧比熱極大温度以上に加熱する蒸気発生工程と、前記加熱流体の熱エネルギーを除くエネルギーを少なくとも利用して、前記蒸気利用装置、前記接続ライン中及び前記ボイラー内のライン中の水又は蒸気のうちで、前記定圧比熱極大温度未満の水又は蒸気を、前記定圧比熱極大温度以上に加熱する加熱工程と、を実行する。
【００２７】
ここで、前記一態様のボイラープラントの運転方法において、前記加熱工程は、前記加熱流体の熱エネルギーを除くエネルギーのみを利用して、水又は蒸気を加熱するボイラー外加熱工程を含んでもよい。
【００２８】
また、前記一態様のボイラープラントの運転方法において、前記蒸気利用装置は、蒸気タービンを有し、前記加熱工程では、前記蒸気タービンから排気された排気蒸気を加熱してもよい。
【００２９】
前記蒸気タービンを有するボイラープラントの運転方法において、前記蒸気利用装置は、蒸気で駆動する第一蒸気タービンと、前記第一蒸気タービンより低い圧力の蒸気で駆動する第二蒸気タービンと、を有してもよい。この場合、前記加熱工程では、前記第一蒸気タービンから排気された排気蒸気を加熱し、前記加熱工程で加熱された前記排気蒸気を前記第二蒸気タービンに送る。
【００３０】
前記蒸気タービンを有する前記ボイラープラントの運転方法において、前記蒸気タービンから排気された前記排気蒸気と前記加熱流体とを熱交換させて、前記排気蒸気を加熱する再熱工程をさらに実行してもよい。この場合、前記加熱工程は、前記加熱流体の熱エネルギーを除くエネルギーのみを利用して、水又は蒸気を加熱するボイラー外加熱工程を含む。また、前記ボイラー外加熱工程では、前記再熱工程で加熱された前記排気蒸気又は前記再熱工程で加熱される前の前記排気蒸気を加熱する。
【００３１】
前記再熱工程を実行する前記ボイラープラントの運転方法において、前記再熱工程は、前記第一蒸発器を基準にして、前記加熱流体の流れ方向の下流側で、前記排気蒸気と前記加熱流体とを熱交換させる下流側再熱工程を含んでもよい。この場合、前記ボイラー外加熱工程では、前記下流側再熱工程で加熱された前記排気蒸気を加熱する。
【００３２】
前記再熱工程を実行する前記ボイラープラントの運転方法において、前記再熱工程は、前記第一蒸発器と前記加熱流体の流れ方向で同じ位置で、又は前記第一蒸発器を基準にして前記加熱流体の流れ方向の上流側で、前記排気蒸気と前記加熱流体とを熱交換させる上流側再熱工程を含んでもよい。この場合、前記上流側再熱工程では、前記ボイラー外加熱工程で加熱された前記排気蒸気を加熱する。
【００３３】
前記上流側再熱工程を実行する前記ボイラープラントの運転方法において、前記加熱工程は、前記ボイラー外加熱工程と前記上流側再熱工程とを含んでもよい。
【００３４】
前記ボイラー外加熱工程を実行する前記ボイラープラントの運転方法において、前記ボイラー外加熱工程は、他のプラント内の熱を利用して、水又は蒸気を加熱するプラント外加熱工程を含んでもよい。
【００３５】
前記ボイラー外加熱工程を実行する前記ボイラープラントの運転方法において、前記ボイラープラントは、空気を圧縮する圧縮機と、前記圧縮機で圧縮された空気中で燃料を燃焼させて燃焼ガスを生成する燃焼器と、前記燃焼ガスで駆動するタービンと、を有するガスタービンをさらに備えてもよい。この場合、前記ボイラーは、前記タービンから排気された燃焼ガスである排気ガスを前記加熱流体とする。
【００３６】
前記ガスタービンを備える前記ボイラープラントの運転方法において、
前記圧縮機で圧縮された高温高圧の空気の一部と第一冷却媒体とを熱交換させて、前記圧縮機からの空気を冷却する一方で、前記第一冷却媒体を加熱し、前記ガスタービン中で前記燃焼ガスと接する高温部品に、冷却した空気を送る空気冷却工程をさらに実行してもよい。この場合、前記ボイラー外加熱工程は、前記ボイラー外加熱工程での加熱対象である水又は蒸気を前記第一冷却媒体とする前記空気冷却工程を含む。
【００３７】
前記ガスタービンを備える前記ボイラープラントの運転方法において、前記ガスタービン中で前記燃焼ガスと接する高温部品に第二冷却媒体を送って、前記高温部品を冷却する一方で、前記第二冷却媒体を加熱する高温部品冷却工程をさらに実行してもよい。この場合、前記ボイラー外加熱工程は、前記ボイラー外加熱工程での加熱対象である水又は蒸気を前記第二冷却媒体とする前記高温部品冷却工程を含む。
【００３８】
前記ガスタービンを備える前記ボイラープラントの運転方法において、前記圧縮機は、空気を圧縮する第一圧縮部と、前記第一圧縮部で圧縮された第二圧縮部とを有してもよい。この場合、前記第一圧縮部で圧縮された空気と第三冷却媒体とを熱交換させて、前記第一圧縮機からの空気を冷却する一方で、前記第三冷却媒体を加熱し、冷却した空気を前記第二圧縮部に送る中間冷却工程をさらに実行してもよい。前記ボイラー外加熱工程は、前記ボイラー外加熱工程での加熱対象である水又は蒸気を前記第三冷却媒体とする前記中間冷却工程を含む。
【００３９】
前記ガスタービンを備える前記ボイラープラントの運転方法において、前記燃焼器に流入する前記燃料を前記ボイラー外加熱工程で加熱された水又は蒸気で加熱する燃料予熱工程をさらに実行してもよい。
【発明の効果】
【００４０】
本発明の一態様では、ボイラー内を流れる加熱流体の熱の有効利用を図ることができる。
【図面の簡単な説明】
【００４１】
【図１】本発明に係る第一実施形態におけるボイラープラントの系統図である。
【図２】本発明に係る第二実施形態におけるボイラープラントの系統図である。
【図３】本発明に係る第三実施形態におけるボイラープラントの系統図である。
【図４】本発明に係る第四実施形態におけるボイラープラントの系統図である。
【図５】本発明に係る第五実施形態におけるボイラープラントの系統図である。
【図６】本発明に係る第六実施形態におけるボイラープラントの系統図である。
【図７】本発明に係る第七実施形態におけるボイラープラントの系統図である。
【図８】本発明に係る第八実施形態におけるボイラープラントの系統図である。
【図９】本発明に係る第九実施形態におけるボイラープラントの系統図である。
【図１０】本発明に係る第十実施形態におけるボイラープラントの系統図である。
【図１１】本発明に係る第十一実施形態におけるボイラープラントの系統図である。
【図１２】本発明に係る第十二実施形態におけるボイラープラントの系統図である。
【図１３】本発明に係る第一変形例の加熱器が配置されるプラントを示す説明図である。
【図１４】本発明に係る第二変形例の加熱器が配置されるプラントを示す説明図である。
【図１５】本発明に係る第三変形例の加熱器が配置されるプラントを示す説明図である。
【図１６】本発明に係る第四変形例の加熱器が配置されるプラントを示す説明図である。
【図１７】本発明に係る第五変形例の加熱器が配置されるプラントを示す説明図である。
【図１８】温度と水の定圧比熱との関係を示すグラフである。
【発明を実施するための形態】
【００４２】
以下、本発明に係るボイラープラントの各種実施形態及び変形例について、図面を用いて説明する。
【００４３】
「ボイラープラントの第一実施形態」
図１を参照して、本発明に係るボイラープラントの第一実施形態について説明する。
【００４４】
本実施形態のボイラープラントＢＰ１は、図１に示すように、ガスタービン設備１０と、排熱回収ボイラー２０と、蒸気タービン設備４０と、煙突３９と、を備える。なお、このボイラーブラントのように、ガスタービン設備と、排熱回収ボイラーと、蒸気タービン設備とを備えるプラントは、一般的に、コンバインドサイクルプラントと呼ばれる。
【００４５】
ガスタービン設備は、ガスタービン１と、空気を冷却する第一空気冷却器１１及び第二空気冷却器１２と、ブースト圧縮機１３と、を備える。ガスタービン１は、空気Ａを圧縮する空気圧縮機２と、空気圧縮機２で圧縮された空気中で燃料Ｆを燃焼させて燃焼ガスを生成する燃焼器３と、高温高圧の燃焼ガスにより駆動するタービン４と、を備えている。タービン４は、タービンロータ５と、タービンロータ５を覆うタービンケーシング８と、複数の静翼９と、を有する。タービンロータ５は、ロータ軸６と、このロータ軸６の外周に取り付けられている複数の動翼７と、を有する。複数の静翼９は、タービンケーシング８の内部に配置され、このタービンケーシング８に固定されている。ガスタービン１を構成する複数の部品のうち、燃焼器３、タービン４の静翼９、タービン４の動翼７、タービンケーシング８の内周面の一部を構成する分割環と呼ばれる部品は、いずれも、高温高圧の燃焼ガスに接する高温部品である。これらの高温部品には、空気（冷却媒体）が通る冷却空気通路（媒体通路）３ｐ，９ｐが形成されている。この冷却空気通路（媒体通路）３ｐ，９ｐは、空気が流入する空気入口と、この空気を燃焼ガス中又は圧縮空気中に放出する放出口を有する。タービン４のタービンロータ５と空気圧縮機２の圧縮機ロータとは、相互に連結されて、ガスタービンロータを成している。このガスタービンロータには、例えば、発電機６５の発電機ロータが接続されている。タービン４から排気された燃焼ガスは、排気ガスＥＧとして排熱回収ボイラー２０に供給される。
【００４６】
第一空気冷却器１１は、空気圧縮機２から吐出された空気の一部を冷却して、例えば、この空気を高温部品の一つである静翼９に送る。第二空気冷却器１２は、空気圧縮機２から吐出された空気の一部を冷却する。ブースト圧縮機１３は、第二空気冷却器１２で冷却された空気を昇圧して、例えば、この空気を高温部品の一つである燃焼器３に送る。空気圧縮機２と第一空気冷却器１１の空気入口及び第二空気冷却器１２の空気入口とは、圧縮空気ライン８１で接続されている。第一空気冷却器１１の空気出口と静翼９の冷却空気通路（媒体通路）９ｐにおける空気入口とは、第一冷却空気ライン８２で接続されている。第二空気冷却器１２の空気出口と燃焼器３の冷却空気通路（媒体通路）３ｐにおける空気入口とは、第二冷却空気ライン８３で接続されている。この第二冷却空気ライン８３中にブースト圧縮機１３が設けられている。
【００４７】
蒸気タービン設備４０は、排熱回収ボイラー２０で発生した蒸気で駆動する高圧蒸気タービン４１及び低圧蒸気タービン４３と、低圧蒸気タービン４３から排気された蒸気を水に戻す復水器５１と、復水器５１中の水を排熱回収ボイラー２０に戻す給水ポンプ５３と、を備える。高圧蒸気タービン４１のタービンロータ、低圧蒸気タービン４３のタービンロータには、それぞれ、発電機６１，６３のロータが接続されている。高圧蒸気タービン４１及び低圧蒸気タービン４３は、いずれも、排熱回収ボイラー２０で発生した蒸気を利用する蒸気利用装置である。
【００４８】
排熱回収ボイラー２０は、ガスタービン１からの排気ガス（加熱流体）ＥＧの熱を利用して蒸気を発生させる。この排熱回収ボイラー２０は、給水ポンプ５３により送られてきた水を加熱する低圧節炭器（ECO−LP）２１と、低圧節炭器２１で加熱された水を蒸気する低圧蒸発器（EVA−LP）２２と、低圧節炭器２１で加熱された水を昇圧する高圧ポンプ２３と、高圧ポンプ２３で昇圧された水である高圧水を加熱する高圧節炭器（ECO−HP）２５と、高圧節炭器２５で加熱された高圧水を蒸気にする高圧蒸発器（EVA−HP）２６と、高圧蒸発器２６で発生した蒸気を過熱する第一高圧過熱器（SH1−HP）２７と、第一高圧過熱器２７で過熱された蒸気をさらに過熱して高圧蒸気とする第二高圧過熱器（SH２−HP）２８と、高圧蒸気タービン４１から排気された蒸気を加熱する第一再熱器（RH1−LP）３１と、第一再熱器（RH1−LP）３１で加熱された蒸気を加熱する第二再熱器（RH2−LP）３２と、を有する。
【００４９】
ここで、排熱回収ボイラー２０中を流れる排気ガスＥＧの流れ方向で、ガスタービン１を基準にして煙突３９が存在する側を下流側、その反対側を上流側とする。低圧節炭器２１、低圧蒸発器２２、第一再熱器３１及び高圧節炭器２５、高圧蒸発器２６、第一高圧過熱器２７、第二再熱器３２、第二高圧過熱器２８は、排熱回収ボイラー２０の下流側から上流側に向かって、この順序で配置されている。なお、本実施形態で、排気ガスＥＧの流れ方向における第一再熱器３１の位置と高圧節炭器２５の位置とは、実質的に同じである。
【００５０】
低圧蒸発器２２及び高圧蒸発器２６は、いずれも、内部圧力での定圧比熱が極大となる定圧比熱極大温度Ｔmax未満の温度の水を、この定圧比熱極大温度Ｔmax以上の温度に加熱する装置である。具体的に、例えば、図１８に示すように、高圧蒸発器２６で加熱される水の圧力が臨界圧である場合、高圧蒸発器２６は、臨界圧において定圧比熱が極大となる温度、すなわち臨界温度Ｔmax１（定圧比熱極大温度Ｔmax）未満の温度の水を臨界温度Ｔmax１以上の温度に加熱する装置である。高圧蒸発器２６で加熱される水の圧力が臨界圧よりも高い場合、高圧蒸発器２６は、高圧蒸発器２６で加熱される水の圧力において定圧比熱が極大となる温度、すなわち擬臨界温度Ｔmax２（定圧比熱極大温度Ｔmax）未満の温度の水を擬臨界温度Ｔmax２以上の温度に加熱する装置である。高圧蒸発器２６で加熱される水の圧力が臨界圧よりも低い場合、高圧蒸発器２６は、高圧蒸発器２６で加熱される水の圧力において定圧比熱が極大となる温度、すなわち飽和温度Ｔmax３（定圧比熱極大温度Ｔmax）未満の温度の水を飽和温度Ｔmax３以上の温度に加熱する装置である。よって、以下の説明で、高圧蒸発器２６で生成される蒸気とは、臨界圧において、臨界温度Ｔmax１未満の温度の水が臨界温度Ｔmax１以上の温度になった流体、又は、超臨界圧において、擬臨界温度Ｔmax２未満の温度の水が擬臨界温度Ｔmax２以上の温度になった流体、亜臨界圧において、飽和温度Ｔmax３未満の温度の水が飽和温度Ｔmax３以上の温度になった流体である。また、高圧ポンプ２３は、低圧節炭器２１で加熱された水の圧力を臨界圧、超臨界圧、亜臨界圧まで昇圧するポンプである。ここで、図１８に示した擬臨界温度Ｔmax２、飽和温度Ｔmax３は例であり、擬臨界温度Ｔmax２、飽和温度Ｔmax３は高圧蒸発器２６で加熱される水の圧力によって変化することに注意されたい。また、ここでは定圧比熱が無限大となる場合も含めて極大と呼ぶこととする。
【００５１】
復水器５１と低圧節炭器２１とは、給水ライン７６で接続されている。この給水ライン７６には、前述の給水ポンプ５３が設けられている。低圧節炭器２１には、この低圧節炭器２１で加熱された水を低圧蒸発器２２に送る第一低圧水ライン７７と、この低圧節炭器２１で加熱された水を高圧節炭器２５に送る第二低圧水ライン７８とが接続されている。第二低圧水ライン７８には、前述の高圧ポンプ２３が設けられている。高圧過熱器２７の蒸気出口と高圧蒸気タービン４１の蒸気入口とは、高圧過熱器２７で過熱された蒸気を高圧蒸気タービン４１に供給する高圧蒸気供給ライン７１で接続されている。また、高圧蒸気タービン４１の蒸気出口と第一再熱器３１の蒸気入口とは、高圧蒸気回収ライン７２で接続されている。この高圧蒸気回収ライン７２には、低圧蒸発器２２で発生した蒸気を第一再熱器３１に送るための低圧蒸気ライン７９が接続されている。第一再熱器３１の蒸気出口と第一空気冷却器１１の蒸気入口及び第二空気冷却器１２の蒸気入口とは、加熱前再熱蒸気ライン（加熱前ライン）８７で接続されている。第一空気冷却器１１の蒸気出口及び第二空気冷却器１２の蒸気出口と第二再熱器３２の蒸気入口とは、加熱後再熱蒸気ライン（加熱後ライン）８８で接続されている。第二再熱器３２の蒸気出口と低圧蒸気タービン４３の蒸気入口とは、第二再熱器３２で加熱された蒸気を低圧蒸気タービン４３に供給する再熱蒸気供給ライン７３で接続されている。低圧蒸気タービン４３の蒸気出口と復水器５１とは、低圧蒸気タービン４３から排気された蒸気が復水器５１に供給されるよう互いに接続されている。
【００５２】
高圧蒸気供給ライン７１、高圧蒸気回収ライン７２、再熱蒸気供給ライン７３は、いずれかの蒸気タービンと排熱回収ボイラー２０とを接続する接続ラインＬＣを構成する。排熱回収ボイラー２０に含まれる低圧節炭器２１等の機器、及び、排熱回収ボイラー２０に含まれる複数の機器相互を接続するラインは、ボイラー内ラインＬＢを構成する。接続ラインＬＣ中の高圧蒸気回収ライン７２は、高圧蒸発器２６内の圧力での定圧比熱が極大となる定圧比熱極大温度Ｔmax未満の温度の排気蒸気が流れる低温部ＬＬである。また、ボイラー内ラインＬＢ中で、高圧蒸発器２６よりも排気ガスの流れの下流側のラインも、前記定圧比熱極大温度Ｔmax未満の温度の蒸気又は水が流れる低温部ＬＬである。一方、接続ラインＬＣ中の高圧蒸気供給ライン７１及び再熱蒸気供給ライン７３は、高圧蒸発器２６での定圧比熱極大温度Ｔmax以上の温度の蒸気が流れる高温部である。ボイラー内ラインＬＢ中で、高圧蒸発器２６、及びこの高圧蒸発器２６よりも排気ガスＥＧの流れの上流側のラインも、前記定圧比熱極大温度Ｔmax以上の温度の蒸気又は水が流れる高温部ＬＨである。
【００５３】
第一空気冷却器１１及び第二空気冷却器１２は、いずれも、空気圧縮機２から吐出された空気と第一再熱器３１からの蒸気（第一冷却媒体）とを熱交換させて、空気を冷却する一方で、蒸気を加熱する熱交換器である。このため、第一空気冷却器１１及び第二空気冷却器１２は、蒸気を加熱する加熱器ｈでもある。
【００５４】
次に、以上で説明したボイラープラントＢＰ１の動作について説明する。
【００５５】
ガスタービン１の空気圧縮機２は、大気中の空気Ａを圧縮し、圧縮した空気Ａを燃焼器３に供給する。また、燃焼器３には、燃料供給源からの燃料Ｆも供給される。燃焼器３では、圧縮された空気Ａ中で燃料Ｆが燃焼して、高温高圧の燃焼ガスが生成される。この燃焼ガスは、タービン４内に送られ、このタービン４のタービンロータ５を回転させる。このタービンロータ５の回転で、ガスタービン１に接続されている発電機６５が発電する。
【００５６】
燃焼器３内で高温の燃焼ガスが生成されると、この燃焼器３や、タービン４の動翼７及び静翼９等の高温部品が燃焼ガスにより加熱される。
【００５７】
第一空気冷却器１１及び第二空気冷却器１２には、空気圧縮機２から吐出された空気の一部が圧縮空気ライン８１を介して流入する。第一空気冷却器１１内及び第二空気冷却器１２内では、空気と第一再熱器３１からの蒸気とが熱交換して、空気が冷却される一方で（空気冷却工程）、蒸気が加熱される（加熱工程、ボイラー外加熱工程）。第一空気冷却器１１で冷却された空気は、第一冷却空気ライン８２を介して、静翼９の冷却空気通路９ｐ内に供給され、この静翼９を冷却する。また、第二空気冷却器１２で冷却された空気は、ブースト圧縮機１３で昇圧された後、第二冷却空気ライン８３を介して、燃焼器３の冷却空気通路３ｐ内に供給され、この燃焼器３を冷却する。
【００５８】
タービン４のタービンロータ５を回転させた燃焼ガスは、排気ガスＥＧとしてガスタービン１から排気される。この排気ガスＥＧは、排熱回収ボイラー２０内を通った後、煙突３９から大気に放出される。排熱回収ボイラー２０は、この排気ガスＥＧの熱を利用して水を蒸気にする。
【００５９】
排熱回収ボイラー２０中で、最も下流側の低圧節炭器２１には、復水器５１からの水が給水ライン７６を介して供給される。低圧節炭器２１は、この水を排気ガスＥＧと熱交換させて加熱する。低圧節炭器２１で加熱された水の一部は、第一低圧水ライン７７を介して、低圧蒸発器２２に送られ、ここでさらに加熱されて蒸気になる。この蒸気は、低圧蒸気ライン７９及び高圧蒸気回収ライン７２を介して、第一再熱器３１に送られる。また、低圧節炭器２１で加熱された残りの水は、高圧ポンプ２３で昇圧されてから高圧節炭器２５に送られる。高圧節炭器２５は、この水を排気ガスＥＧと熱交換させて加熱する。高圧節炭器２５で加熱された水は、高圧蒸発器２６でさらに加熱されて蒸気になる（蒸気発生工程）。この蒸気は、第一高圧過熱器２７でさらに過熱される。第一高圧過熱器２７で過熱された蒸気は、第二高圧過熱器２８で過熱される。この蒸気は、高圧蒸気供給ライン７１を介して高圧蒸気タービン（第一蒸気タービン）４１（第一蒸気タービン）に供給される。
【００６０】
高圧蒸気タービン４１に供給された蒸気は、この高圧蒸気タービン４１のタービンロータを回転させる。このタービンロータの回転で、高圧蒸気タービン４１に接続されている発電機６１が発電する。高圧蒸気タービン４１（第一蒸気タービン）を通過した高圧蒸気は、高圧蒸気回収ライン７２を介して、第一再熱器３１に送られる。また、前述したように、低圧蒸発器２２で発生した蒸気も、低圧蒸気ライン７９及び高圧蒸気回収ライン７２を介して、第一再熱器３１に送られる。すなわち、高圧蒸気タービン４１を通過した高圧蒸気及び低圧蒸発器２２で発生した蒸気は、互いに合流して第一再熱器３１に流入する。この蒸気は、この第一再熱器３１で、高圧蒸発器２６での定圧比熱極大温度Ｔmax未満の温度にまで加熱される（再熱工程、下流側再熱工程）。
【００６１】
第一再熱器３１で加熱された蒸気は、加熱前再熱蒸気ライン（加熱前ライン）８７を経て、第一空気冷却器１１及び第二空気冷却器１２に流入する。第一空気冷却器１１（加熱器ｈ）及び第二空気冷却器１２（加熱器ｈ）に流入した蒸気（第一冷却媒体）は、空気圧縮機２からの空気との熱交換より、高圧蒸発器２６での定圧比熱極大温度Ｔmax以上の温度にまで加熱される（加熱工程、ボイラー外加熱工程）。よって、第一空気冷却器１１（加熱器ｈ）及び第二空気冷却器１２（加熱器ｈ）は、高圧蒸発器２６での定圧比熱極大温度Ｔmax未満の蒸気又は水を高圧蒸発器２６での定圧比熱極大温度Ｔmax以上の温度にまで加熱する加熱装置Ｈでもある。第一空気冷却器１１及び第二空気冷却器１２で加熱された蒸気は、加熱後再熱蒸気ライン（加熱後ライン）８８を経て、第二再熱器３２に流入する。第二再熱器３２に流入した蒸気は、この第二再熱器３２でさらに加熱される（再熱工程、上流側再熱工程）。この蒸気は、再熱蒸気供給ライン７３を介して低圧蒸気タービン（第二蒸気タービン）４３に供給される。
【００６２】
低圧蒸気タービン４３に供給された蒸気は、この低圧蒸気タービン４３のタービンロータを回転させる。このタービンロータの回転で、低圧蒸気タービン４３に接続されている発電機６３が発電する。低圧蒸気タービン４３を通過した蒸気は、復水器５１に流入し、この復水器５１で水に戻される。復水器５１中の水は、給水ポンプ５３により、前述したように、低圧節炭器２１に、供給される。
【００６３】
複数の蒸気タービン４１，４３の集まりである蒸気タービン群を蒸気が通過する過程で、蒸気のエネルギー落差が大きければ大きいほど、蒸気タービン群全体から得られる出力が大きくなる。蒸気タービン設備４０では、複数の蒸気タービン４１,４３から排気された蒸気は、最終的に復水器５１で水に戻されてから、排熱回収ボイラー２０に戻される。復水器５１に流入する蒸気の温度及び圧力は、この復水器５１で蒸気を冷却する水等の温度により必然的に定まる。高圧蒸発器２６で発生する蒸気は最も圧力が高く、復水器５１に至るまでの間に大きな圧力比で膨張し、最も大きなエネルギー落差で出力を取り出すことができる。すなわち、高圧蒸発器２６で発生する蒸気の価値は、他の蒸発器２２で発生する蒸気の価値より高い。従って、高圧蒸発器２６で発生する蒸気の流量を増大することは蒸気タービン設備４０の出力、効率を高めるために極めて重要である。
【００６４】
高圧蒸発器２６は、高圧蒸発器２６内の圧力での定圧比熱が極大となる定圧比熱極大温度Ｔmax未満の温度の水又は蒸気を定圧比熱極大温度Ｔmax以上に加熱する。この極大温度Ｔmax付近の温度での流体の比熱は大きい。このため、高圧蒸発器２６では、温度上昇に多くの熱を必要とする。高圧蒸発器２６で発生可能な蒸気の流量は、高圧蒸発器２６で利用できる定圧比熱極大温度Ｔmax付近の温度レベルの熱量で決まる。従って、高圧蒸発器２６に定圧比熱極大温度Ｔmax付近の温度レベルの熱を多く投入し、高圧蒸発器２６で発生する蒸気の流量を増大することは蒸気タービン設備４０の出力、効率を高めるために極めて重要なのである。
【００６５】
本実施形態では、接続ラインＬＣ及びボイラー内ラインＬＢ中の低温部ＬＬを流れる定圧比熱極大温度Ｔmax未満の温度の蒸気又は水を、第一空気冷却器１１（加熱器ｈ）及び第二空気冷却器１２（加熱器ｈ）で、定圧比熱極大温度Ｔmax以上に加熱してから、高圧蒸発器２６より上流側の第二再熱器３２に戻している。このため、排気ガスが持つ熱量のうち、高圧蒸発器２６で消費できる、定圧比熱極大温度Ｔmax付近の温度レベルの熱量が多くなる。従って、高圧蒸発器２６で発生する蒸気の流量を増大し、蒸気タービン設備４０の出力、効率を高めることができる。すなわち、本実施形態では、排気ガス（加熱流体）ＨＧが持つ熱のうち、定圧比熱極大温度Ｔmax付近の温度レベルの熱を高圧蒸発器２６で有効利用することができる。
【００６６】
本実施形態のボイラープラントＢＰ1は、高圧蒸発器２６の下流側（排気ガスＥＧの流れに関する下流側）に配置された第一再熱器３１と、高圧蒸発器２６の上流側（排気ガスＥＧの流れに関する上流側）に配置された第二再熱器３２とを有し、第一再熱器３１で加熱された後の蒸気を第二再熱器３２に送る。本実施形態の以上の構成では、高圧蒸発器２６における蒸気を発生する際に必要な熱量が大きく、高圧蒸発器２６前後の排気ガスの温度落差が大きくなる。このため、第一再熱器３１における排気ガスの温度は、第二再熱器３２における排気ガスの温度よりも大幅に低い。仮に、本実施形態の構成を適用しない場合、即ち、第一再熱器３１で加熱された後の蒸気が、直接、第二再熱器３２に送られる場合について考えると、各箇所の温度関係が以下のようになる。
（第二再熱器３２の排気ガス出口温度）
＞＞（第一再熱器３１の排気ガス入口温度）
＞（第一再熱器３１の蒸気出口温度）
＝（第二再熱器３２の蒸気入口温度）
第一再熱器３１の蒸気出口温度、即ち、第二再熱器３２の蒸気入口温度は、第二再熱器３２における排気ガスの温度よりも大幅に低い。従って、第二再熱器３２における排気ガスと蒸気の温度差が大きく、高温の排気ガスの熱を効率的に蒸気に回収することができない。一方、本実施形態のように、第一再熱器３１と第二再熱器３２の間の蒸気を排気ガスの熱エネルギーを除く、外部からの熱（ここでは空気冷却器排熱）を利用して加熱すると、第二再熱器３２における蒸気入口の温度を高め、第二再熱器３２における排気ガスと蒸気の温度差を大幅に縮小することができる。従って、第二再熱器３２を流通する高温の排気ガスの熱を十分活用し、特に大きな熱利用効率向上効果が得られるのである。
【００６７】
本実施形態では、第一空気冷却器１１（加熱器ｈ）及び第二空気冷却器１２（加熱器ｈ）のみで水又は蒸気を加熱する加熱装置を構成する。すなわち、本実施形態では、加熱器ｈのみで水又は蒸気を定圧比熱極大温度Ｔmax以上に加熱する。このような構成では、高圧蒸発器２６で発生する蒸気の流量を最も効果的に増大することができ、蒸気タービン設備４０の出力、効率を高める効果が大きく、最も好ましい。しかし、第一空気冷却器１１（加熱器ｈ）及び第二空気冷却器１２（加熱器ｈ）の排熱量が不十分な場合は、第一空気冷却器１１（加熱器ｈ）及び第二空気冷却器１２（加熱器ｈ）に加え、排ガスの熱を用いて蒸気を加熱する再熱器（例えば、本実施形態の第二再熱器３２）も含めて加熱装置を構成してもよい。すなわち、第一空気冷却器１１（加熱器ｈ）及び第二空気冷却器１２（加熱器ｈ）出口では蒸気を高圧蒸発器２６内の圧力での定圧比熱が極大となる定圧比熱極大温度Ｔmax未満とし、再熱器で蒸気を高圧蒸発器２６内の圧力での定圧比熱が極大となる定圧比熱極大温度Ｔmax以上まで加熱する。よって、このように加熱装置を構成しても、高圧蒸発器２６内の圧力での定圧比熱が極大となる定圧比熱極大温度Ｔmax未満の水又は蒸気を加熱装置で高圧蒸発器２６内の圧力での定圧比熱が極大となる定圧比熱極大温度Ｔmax以上まで加熱することができる。この場合、第一空気冷却器１１（加熱器ｈ）及び第二空気冷却器１２（加熱器ｈ）の排熱量が不十分な場合でも高圧蒸発器２６における蒸気発生量を増大し、蒸気タービン設備４０の出力、効率を高める効果を得ることができる。このように、加熱器ｈで得られる熱量によって、様々な構成をとり得ることは以下に例示する実施形態でも同様である。
【００６８】
また、本実施形態では、低温部ＬＬを流れる蒸気又は水を、第一空気冷却器１１（加熱器ｈ）及び第二空気冷却器１２（加熱器ｈ）で加熱する熱源として、ガスタービン設備１０の排熱（排気ガスＥＧを除く）を利用しているので、この熱源を得るためのエネルギーコストを抑えることができる。
【００６９】
「ボイラープラントの第二実施形態」
図２を参照して、本発明に係るボイラープラントの第二実施形態について説明する。
【００７０】
本実施形態のボイラープラントＢＰ２も、第一実施形態と同様、ガスタービン設備１０ａと、排熱回収ボイラー２０と、蒸気タービン設備４０と、煙突３９と、を備える。本実施形態の排熱回収ボイラー２０は、第一実施形態の排熱回収ボイラー２０の同一である。本実施形態の蒸気タービン設備４０は、第一実施形態の蒸気タービン設備４０と同一である。但し、本実施形態のガスタービン設備１０ａは、第一実施形態のガスタービン設備１０と異なる。
【００７１】
本実施形態のガスタービン設備１０ａは、ガスタービン１と、中間冷却器１５と、を備える。本実施形態のガスタービン１は、第一実施形態と同様、空気圧縮機２と、燃焼器３と、タービン４と、を備える。この空気圧縮機２は、空気を圧縮する第一圧縮部２ａと、第一圧縮部２ａで圧縮された空気をさらに圧縮する第二圧縮部２ｂとを有する。第二圧縮部２ｂで圧縮された空気は、燃焼器３等に供給される。
【００７２】
中間冷却器１５は、第一圧縮部２ａで圧縮された空気を冷却して、第二圧縮部２ｂに送る。第一圧縮部２ａの空気吐出口と中間冷却器１５の空気入口とは、第一中間圧縮空気ライン８４ａで接続されている。中間冷却器１５の空気出口と第二圧縮部２ｂの空気入口とは、第二中間圧縮空気ライン８４ｂで接続されている。第二圧縮部２ｂの空気出口は、燃焼器３等に接続されている。
【００７３】
第一再熱器３１の蒸気出口と中間冷却器１５の蒸気入口とは、加熱前再熱蒸気ライン８７ａで接続されている。中間冷却器１５の蒸気出口と第二再熱器３２の蒸気入口とは、加熱後再熱蒸気ライン８８ａで接続されている。中間冷却器１５は、第一圧縮部２ａで圧縮された空気と第一再熱器３１からの蒸気（第三冷却媒体）とを熱交換させて、第一圧縮部２ａからの空気を冷却する一方で（中間冷却工程）、第一再熱器３１からの蒸気（第三冷却媒体）を高圧蒸発器２６での定圧比熱極大温度Ｔmax以上に加熱する（加熱工程、ボイラー外加熱工程）。このため、中間冷却器１５は、蒸気を加熱する加熱器ｈであり、加熱装置Ｈでもある。なお、本明細書において、加熱器ｈとは、蒸気又は水を排気ガス（加熱流体）ＨＧの熱エネルギーを除くエネルギーで加熱する装置である。また、本明細書において、加熱装置Ｈとは、加熱器ｈを有し、高圧蒸発器２６での定圧比熱極大温度Ｔmax未満の蒸気又は水を高圧蒸発器２６での定圧比熱極大温度Ｔmax以上にする装置である。
【００７４】
本実施形態でも、接続ラインＬＣ及びボイラー内ラインＬＢ中の低温部ＬＬを流れる定圧比熱極大温度Ｔmax未満の温度の蒸気又は水を、中間冷却器１５（加熱器ｈ）で、定圧比熱極大温度Ｔmax以上に加熱してから、高圧蒸発器２６より上流側の第二再熱器３２に戻している。従って、本実施形態でも、高圧蒸発器２６で発生する蒸気の流量を増大し、蒸気タービン設備４０の出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【００７５】
また、本実施形態では、低温部ＬＬを流れる蒸気又は水を中間冷却器１５（加熱器ｈ）で加熱する熱源として、ガスタービン設備１０ａの排熱（排気ガスＥＧを除く）を利用しているので、この熱源を得るためのエネルギーコストを抑えることができる。
【００７６】
また、本実施形態では、空気圧縮機２の第一圧縮部２ａからの空気を冷却してから、この空気を第二圧縮部２ｂに送っているので、空気圧縮機２での圧縮動力を低減することでき、ガスタービン１の出力を高めることができる。
【００７７】
「ボイラープラントの第三実施形態」
図３を参照して、本発明に係るボイラープラントの第三実施形態について説明する。
【００７８】
本実施形態のボイラープラントＢＰ３も、以上の各実施形態と同様、ガスタービン設備１０ｂと、排熱回収ボイラー２０と、蒸気タービン設備４０と、煙突３９と、を備える。本実施形態の排熱回収ボイラー２０は、第一実施形態の排熱回収ボイラー２０の同一である。本実施形態の蒸気タービン設備４０は、第一実施形態の蒸気タービン設備４０と同一である。但し、本実施形態のガスタービン設備１０ｂは、第一実施形態のガスタービン設備１０と異なる。
【００７９】
本実施形態のガスタービン設備１０ｂは、ガスタービン１を備える。本実施形態のガスタービン１は、第一実施形態と同様、空気圧縮機２と、燃焼器３と、タービン４と、を備える。本実施形態の燃焼器３や、タービン４の静翼９等は、前述したように、高温高圧の燃焼ガスに接する高温部品である。燃焼器３や静翼９には、冷却媒体としての蒸気が通る蒸気通路（媒体通路）３ｐｂ，９ｐｂが形成されている。これらの蒸気通路（媒体通路）３ｐｂ，９ｐｂは、蒸気が流入する蒸気入口と、蒸気が流出する蒸気出口とを有する。
【００８０】
第一再熱器３１の蒸気出口と燃焼器３の蒸気通路３ｐｂにおける蒸気入口とは、加熱前再熱蒸気ライン８７ｂで接続されている。また、この加熱前再熱蒸気ライン８７ｂは、さらに、第一再熱器３１の蒸気出口と静翼９の蒸気通路９ｐｂにおける蒸気入口とを接続している。燃焼器３の蒸気通路３ｐｂにおける蒸気出口と第二再熱器３２の蒸気入口とは、加熱後再熱蒸気ライン８８ｂで接続されている。加熱後再熱蒸気ライン８８ｂは、さらに、静翼９の蒸気通路９ｐｂにおける蒸気出口と第二再熱器３２の蒸気入口とを接続している。燃焼器３は、第一再熱器３１からの蒸気（第二冷却媒体）と熱交換して、自身を冷却する（高温部品冷却工程）一方で、第一再熱器３１からの蒸気（第二冷却媒体）を高圧蒸発器２６での定圧比熱極大温度Ｔmax以上に加熱する。また、静翼９は、第一再熱器３１からの蒸気（第二冷却媒体）と熱交換して、自身を冷却する（高温部品冷却工程）一方で、第一再熱器３１からの蒸気（第二冷却媒体）を高圧蒸発器２６での定圧比熱極大温度Ｔmax以上に加熱する。このため、燃焼器３や静翼９等の高温部品は、蒸気を加熱する加熱器ｈであり、加熱装置Ｈでもある。
【００８１】
本実施形態でも、接続ラインＬＣ及びボイラー内ラインＬＢ中の低温部ＬＬを流れる定圧比熱極大温度Ｔmax未満の温度の蒸気又は水を、高温部品（加熱器ｈ）で、定圧比熱極大温度Ｔmax以上に加熱してから、高圧蒸発器２６より上流側の第二再熱器３２に戻している。従って、本実施形態でも、高圧蒸発器２６で発生する蒸気の流量を増大し、蒸気タービン設備４０の出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【００８２】
また、本実施形態では、低温部ＬＬを流れる蒸気又は水を、高温部品（加熱器ｈ）で加熱する熱源として、ガスタービン設備１０ｂの排熱（排気ガスＥＧを除く）を利用しているので、この熱源を得るためのエネルギーコストを抑えることができる。
【００８３】
また、本実施形態では、極めて高温の燃焼ガスに接する高温部品の熱で、低温部ＬＬを流れる蒸気又は水を加熱するので、低温部ＬＬからの蒸気又は水を効果的に加熱することができる。
【００８４】
「ボイラープラントの第四実施形態」
図４を参照して、本発明に係るボイラープラントの第四実施形態について説明する。
【００８５】
本実施形態のボイラープラントＢＰ４も、以上の各実施形態と同様、ガスタービン設備１０と、排熱回収ボイラー２０ｃと、蒸気タービン設備４０と、煙突３９と、を備える。本実施形態のガスタービン設備１０は、第一実施形態のガスタービン設備１０と同一である。本実施形態の蒸気タービン設備４０も、第一実施形態の蒸気タービン設備４０と同一である。但し、本実施形態の排熱回収ボイラー２０ｃは、第一実施形態の排熱回収ボイラー２０と異なる。
【００８６】
本実施形態の排熱回収ボイラー２０ｃは、第一実施形態の排熱回収ボイラー２０と同様、低圧節炭器（ECO−LP）２１と、低圧蒸発器（EVA−LP）２２と、高圧ポンプ２３と、高圧節炭器（ECO−HP）２５と、高圧蒸発器（EVA−HP）２６と、第一高圧過熱器（SH1−HP）２７と、第二高圧過熱器（SH２−HP）２８と、第一再熱器（RH1−LP）３１と、第二再熱器（RH2−LP）３２と、を有する。本実施形態の排熱回収ボイラー２０ｃは、さらに、第一再熱器（RH1−LP）３１で加熱された蒸気をさらに加熱する第三再熱器（RH3−LP）３３を有する。排気ガスＥＧの流れ方向における第三再熱器３３の位置と高圧蒸発器２６の位置とは、実質的に同じである。このため、この第三再熱器３３は、ボイラー内ラインＬＢ中の高温部ＬＨの一部を構成する。
【００８７】
本実施形態でも、第一実施形態と同様、第一再熱器３１の蒸気出口と第一空気冷却器１１の蒸気入口及び第二空気冷却器１２の蒸気入口とは、加熱前再熱蒸気ライン８７で接続されている。第一空気冷却器１１の蒸気出口及び第二空気冷却器１２の蒸気出口と第二再熱器３２の蒸気入口とは、加熱後再熱蒸気ライン８８で接続されている。本実施形態では、第一再熱器３１の蒸気出口と第三再熱器３３の蒸気入口とが、第三再熱前蒸気ライン８７ｃで接続されている。第三再熱器３３の蒸気出口の蒸気出口と第二再熱器３２の蒸気入口とが、第三再熱後蒸気ライン８８ｃで接続されている。
【００８８】
高圧蒸気タービン（第一蒸気タービン）４１から排気された蒸気は、第一再熱器３１で加熱される（再熱工程、下流側再熱工程）。第一再熱器３１で加熱された蒸気の一部は、第一実施形態と同様、加熱前再熱蒸気ライン８７を経て、第一空気冷却器１１及び第二空気冷却器１２に流入する。第一空気冷却器１１（加熱器ｈ）及び第二空気冷却器１２（加熱器ｈ）に流入した蒸気は、空気圧縮機２からの空気との熱交換より、高圧蒸発器２６での定圧比熱極大温度Ｔmax以上の温度にまで加熱される（ボイラー外加熱工程）。また、第一空気冷却器１１（加熱器ｈ）及び第二空気冷却器１２（加熱器ｈ）で加熱された蒸気は、加熱後再熱蒸気ライン８８を経て、第二再熱器３２に流入する。第二再熱器３２に流入した蒸気は、この第二再熱器３２でさらに加熱される（再熱工程、上流側再熱工程）。
【００８９】
第一再熱器３１で加熱された蒸気の残りは、第三再熱器３３に流入する。この蒸気は、排気ガスＥＧにより、第三再熱器３３で、高圧蒸発器２６での定圧比熱極大温度Ｔmax以上の温度にまで加熱される。第三再熱器３３で加熱された蒸気は、第一空気冷却器１１及び第二空気冷却器１２で加熱された蒸気と共に、第二再熱器３２に流入する。すなわち、本実施形態の加熱工程では、加熱器ｈと第三再熱器３３との共同で、高圧蒸発器２６での定圧比熱極大温度Ｔmax未満の温度の蒸気を、この定圧比熱極大温度Ｔmax以上の温度にまで加熱する。第二再熱器３２に流入した蒸気は、前述したように、この第二再熱器３２でさらに加熱される。この蒸気は、第一実施形態と同様、再熱蒸気供給ライン７３を介して低圧蒸気タービン（第二蒸気タービン）４３に供給される。
【００９０】
加熱器ｈで蒸気又は水を加熱する熱量が少ない場合には、本実施形態のように、この蒸気又は水の一部を排気ガスＥＧで加熱してもよい。
【００９１】
本実施形態では、接続ラインＬＣ及びボイラー内ラインＬＢ中の低温部ＬＬを流れる定圧比熱極大温度Ｔmax未満の温度の蒸気又は水の一部を、第一空気冷却器１１（加熱器ｈ）及び第二空気冷却器１２（加熱器ｈ）で、定圧比熱極大温度Ｔmax以上に加熱してから、高圧蒸発器２６より上流側の第二再熱器３２に戻している。このため、本実施形態でも、排気ガスＥＧが持つ熱量のうち、高圧蒸発器２６で消費できる、定圧比熱極大温度Ｔmax付近の温度レベルの熱量が多くなる。従って、高圧蒸発器２６で発生する蒸気の流量を増大し、蒸気タービン設備４０の出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【００９２】
「ボイラープラントの第五実施形態」
図５を参照して、本発明に係るボイラープラントの第五実施形態について説明する。
【００９３】
本実施形態のボイラープラントＢＰ５も、以上の各実施形態と同様、ガスタービン設備１０と、排熱回収ボイラー２０ｃと、蒸気タービン設備４０と、煙突３９と、を備える。本実施形態のガスタービン設備１０は、第一実施形態のガスタービン設備１０と同一である。本実施形態の蒸気タービン設備４０も、第一実施形態の蒸気タービン設備４０と同一である。本実施形態の排熱回収ボイラー２０ｃは、第四実施形態の排熱回収ボイラー２０ｃと同一である。よって、本実施形態の排熱回収ボイラー２０ｃも、第四実施形態の排熱回収ボイラー２０ｃと同様、低圧節炭器２１と、低圧蒸発器２２と、高圧ポンプ２３と、高圧節炭器２５と、高圧蒸発器２６と、第一高圧過熱器２７と、第二高圧過熱器２８と、第一再熱器３１と、第二再熱器３２と、第三再熱器３３と、を有する。本実施形態においても、第四実施形態と同様、排気ガスＥＧの流れ方向における第三再熱器３３の位置と高圧蒸発器２６の位置とは、実質的に同じである。
【００９４】
本実施形態でも、第一実施形態と同様、第一再熱器３１の蒸気出口と第一空気冷却器１１の蒸気入口及び第二空気冷却器１２の蒸気入口とは、加熱前再熱蒸気ライン８７で接続されている。本実施形態では、第一実施形態及び第四実施形態と異なり、第一空気冷却器１１の蒸気出口及び第二空気冷却器１２の蒸気出口と第三再熱器３３の蒸気入口とが、加熱後再熱蒸気ライン８８ｄで接続されている。第三再熱器３３の蒸気出口と第二再熱器３２の蒸気出口とは、第三再熱後蒸気ライン７８ｄで接続されている。
【００９５】
高圧蒸気タービン（第一蒸気タービン）４１から排気された蒸気は、第一再熱器３１で加熱される（再熱工程、下流側再熱工程）。第一再熱器３１で加熱された蒸気は、第一実施形態と同様、加熱前再熱蒸気ライン８７を経て、第一空気冷却器１１及び第二空気冷却器１２に流入する。第一空気冷却器１１（加熱器ｈ）及び第二空気冷却器１２（加熱器ｈ）に流入した蒸気は、空気圧縮機２からの空気との熱交換より、加熱される（加熱工程、ボイラー外加熱工程）。本実施形態の第一空気冷却器１１（加熱器ｈ）及び第二空気冷却器１２（加熱器ｈ）では、蒸気を高圧蒸発器２６での定圧比熱極大温度Ｔmax以上の温度にまで加熱されると、高圧蒸発器２６で発生する蒸気の流量を最も効果的に増大することができ、最も好ましい。但し、第一空気冷却器１１（加熱器ｈ）及び第二空気冷却器１２（加熱器ｈ）での排熱量が不十分な場合、本実施形態の第一空気冷却器１１（加熱器ｈ）及び第二空気冷却器１２（加熱器ｈ）では、蒸気を高圧蒸発器２６での定圧比熱極大温度Ｔmax以上の温度にまで加熱される必要はない。つまり、本実施形態の第一空気冷却器１１（加熱器ｈ）及び第二空気冷却器１２（加熱器ｈ）で加熱された蒸気の温度は、高圧蒸発器２６での定圧比熱極大温度Ｔmax未満であってもよい。第一空気冷却器１１及び第二空気冷却器１２で加熱された蒸気は、加熱後再熱蒸気ライン８８ｄを経て、第三再熱器３３に流入する。第三再熱器３３に流入した蒸気は、排気ガスＥＧにより、この第三再熱器３３で、高圧蒸発器２６での定圧比熱極大温度Ｔmax以上の温度にまで加熱される（上流側再熱工程）。以上のように、本実施形態の加熱工程では、加熱器ｈと第三再熱器３３との共同で、高圧蒸発器２６での定圧比熱極大温度Ｔmax未満の温度の蒸気を、この定圧比熱極大温度Ｔmax以上の温度にまで加熱する。すなわち、本実施形態では、加熱器ｈと第三再熱器３３とで加熱装置Ｈを構成する。
【００９６】
第三再熱器３３で加熱された蒸気は、第二再熱器３２に流入する。第二再熱器３２に流入した蒸気は、前述したように、この第二再熱器３２でさらに加熱される。この蒸気は、第一実施形態と同様、再熱蒸気供給ライン７３を介して低圧蒸気タービン（第二蒸気タービン）４３に供給される。
【００９７】
加熱器ｈで蒸気又は水を加熱する熱源の温度が低く、蒸気又は水を高圧蒸発器２６での定圧比熱極大温度Ｔmax以上の温度にまで加熱できない場合には、本実施形態のように、加熱器ｈで蒸気を加熱した後、排気ガスＥＧの熱を用いて、この蒸気を再熱器でさらに加熱してもよい。
【００９８】
本実施形態では、接続ラインＬＣ及びボイラー内ラインＬＢ中の低温部ＬＬを流れる定圧比熱極大温度Ｔmax未満の温度の蒸気又は水を、第一空気冷却器１１（加熱器ｈ）及び第二空気冷却器１２（加熱器ｈ）で加熱し、さらに、第三再熱器３３で定圧比熱極大温度Ｔmax以上に加熱してから、高圧蒸発器２６より上流側の第二再熱器３２に戻している。このため、本実施形態でも、排気ガスＥＧが持つ熱量のうち、高圧蒸発器２６で消費できる、定圧比熱極大温度Ｔmax付近の温度レベルの熱量が多くなる。従って、高圧蒸発器２６で発生する蒸気の流量を増大し、蒸気タービン設備４０の出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【００９９】
また、空気冷却器１１，１２における排熱を用いた加熱と再熱器３３を用いた加熱を併用して、蒸気又は水を定圧比熱極大温度Ｔmax以上まで昇温することにより、空気冷却器１１，１２における排熱量が不十分な場合でも、定圧比熱極大温度Ｔmax以上の蒸気を得ることができ、高圧蒸発器２６で発生する蒸気の流量を増大し、蒸気タービン設備４０の出力、効率を高めることができる。
【０１００】
「ボイラープラントの第六実施形態」
図６を参照して、本発明に係るボイラープラントの第六実施形態について説明する。
【０１０１】
本実施形態のボイラープラントＢＰも、以上の各実施形態と同様、ガスタービン設備１０ｅと、排熱回収ボイラー２０と、蒸気タービン設備４０ｅと、煙突３９と、を備える。本実施形態の排熱回収ボイラー２０は、第一実施形態の排熱回収ボイラー２０と同一である。一方、本実施形態のガスタービン設備１０ｅは、第一実施形態のガスタービン設備１０と異なる。また、本実施形態の蒸気タービン設備４０ｅも、第一実施形態の蒸気タービン設備４０と異なる。
【０１０２】
本実施形態のガスタービン設備１０ｅは、ガスタービン１と、空気を冷却する第一空気冷却器１１及び第二空気冷却器１２と、ブースト圧縮機１３と、中間冷却器１５と、を備える。ガスタービン１は、空気圧縮機２と、燃焼器３と、タービン４と、を備える。本実施形態の空気圧縮機２は、第二実施形態の空気圧縮機２と同様、空気を圧縮する第一圧縮部２ａと、第一圧縮部２ａで圧縮された空気をさらに圧縮する第二圧縮部２ｂとを有する。
【０１０３】
第一空気冷却器１１は、空気圧縮機２から吐出された空気の一部を冷却して、例えば、この空気を高温部品の一つである静翼９に送る。第二空気冷却器１２は、空気圧縮機２から吐出された空気の一部を冷却する。ブースト圧縮機１３は、第二空気冷却器１２で冷却された空気を昇圧して、例えば、この空気を高温部品の一つである燃焼器３に送る。空気圧縮機２と第一空気冷却器１１の空気入口及び第二空気冷却器１２の空気入口とは、圧縮空気ライン８１で接続されている。第一空気冷却器１１の空気出口と静翼９の冷却空気通路（媒体通路）９ｐにおける空気入口とは、第一冷却空気ライン８２で接続されている。第二冷却空気出口と燃焼器３の冷却空気通路（媒体通路）３ｐにおける空気入口とは、第二冷却空気ライン８３で接続されている。この第二冷却空気ライン８３中にブースト圧縮機１３が設けられている。
【０１０４】
中間冷却器１５は、第一圧縮部２ａで圧縮された空気を冷却して、第二圧縮部２ｂに送る。第一圧縮部２ａの空気吐出口と中間冷却器１５の空気入口とは、第一中間圧縮空気ライン８４ａで接続されている。中間冷却器１５の空気出口と第二圧縮部２ｂの空気吸込口とは、第二中間圧縮空気ライン８４ｂで接続されている。第二圧縮部２ｂの空気出口は、燃焼器３等に接続されている。
【０１０５】
本実施形態の蒸気タービン設備４０ｅは、排熱回収ボイラー２０で発生した蒸気で駆動する高圧蒸気タービン４１、中圧蒸気タービン４２及び低圧蒸気タービン４３と、低圧蒸気タービン４３から排気された蒸気を水に戻す復水器５１と、復水器５１中の水を排熱回収ボイラー２０に戻す給水ポンプ５３と、を備える。高圧蒸気タービン４１のタービンロータ、中圧蒸気タービン４２のタービンロータ、低圧蒸気タービン４３のタービンロータには、それぞれ、発電機６１，６２，６３のロータが接続されている。中圧蒸気タービン４２は、高圧蒸気タービン４１を駆動させる蒸気よりも低い圧力の蒸気で駆動する蒸気タービンである。また、低圧蒸気タービン４３は、中圧蒸気タービン４２を駆動させる蒸気よりも低い圧力の蒸気で駆動する蒸気タービンである。高圧蒸気タービン４１、中圧蒸気タービン４２及び低圧蒸気タービン４３は、いずれも、排熱回収ボイラー２０で発生した蒸気を利用する蒸気利用装置である。
【０１０６】
高圧過熱器２７の蒸気出口と高圧蒸気タービン４１の蒸気入口とは、高圧過熱器２７で過熱された蒸気を高圧蒸気タービン４１に供給する高圧蒸気供給ライン７１で接続されている。また、高圧蒸気タービン４１の蒸気出口と第一空気冷却器１１の蒸気入口及び第二空気冷却器１２の蒸気入口とは、高圧蒸気回収ライン（加熱前ライン）７２ｅで接続されている。第一空気冷却器１１の蒸気出口及び第二空気冷却器１２の蒸気出口と第二再熱蒸気の蒸気入口とは、加熱後蒸気ライン（加熱後ライン）８８ｅで接続されている。第二再熱器３２の蒸気出口と中圧蒸気タービン４２の蒸気入口とは、再熱蒸気供給ライン７３で接続されている。中圧蒸気タービン４２の蒸気出口と第一再熱器３１の蒸気入口とは、中圧蒸気回収ライン７４で接続されている。第一再熱器３１の蒸気出口と中間冷却器１５の蒸気入口とは、加熱前再熱蒸気ライン（加熱前ライン）８７ｅで接続されている。中間冷却器１５の蒸気出口と低圧蒸気タービン４３の蒸気入口とは、低圧蒸気供給ライン（加熱後ライン）７５で接続されている。低圧蒸気タービン４３の蒸気出口と復水器５１とは、低圧蒸気タービン４３から排気された蒸気が復水器５１に供給されるよう互いに接続されている。
【０１０７】
第二高圧過熱器２８で過熱されて蒸気は、高圧蒸気供給ライン７１を介して高圧蒸気タービン４１に供給される。高圧蒸気タービン４１に供給された蒸気は、この高圧蒸気タービン４１のタービンロータを回転させる。このタービンロータの回転で、高圧蒸気タービン４１に接続されている発電機６１が発電する。高圧蒸気タービン４１を通過した高圧蒸気は、高圧蒸気回収ライン（加熱前ライン）７２ｅを介して、第一空気冷却器１１及び第二空気冷却器１２に流入する。第一空気冷却器１１（加熱器ｈ）及び第二空気冷却器１２（加熱器ｈ）に流入した蒸気は、空気圧縮機２からの空気との熱交換より、高圧蒸発器２６での定圧比熱極大温度Ｔmax以上の温度にまで加熱される（ボイラー外加熱工程）。第一空気冷却器１１及び第二空気冷却器１２で加熱された蒸気は、加熱後蒸気ライン（加熱後ライン）８８ｅを経て、第二再熱器３２に流入する。第二再熱器３２に流入した蒸気は、この第二再熱器３２でさらに加熱される（上流側再熱工程）。この蒸気は、再熱蒸気供給ライン７３を介して中圧蒸気タービン４２に供給される。
【０１０８】
中圧蒸気タービン４２に供給された蒸気は、この中圧蒸気タービン４２のタービンロータを回転させる。このタービンロータの回転で、中圧蒸気タービン４２に接続されている発電機６２が発電する。中圧蒸気タービン４２を通過した蒸気は、中圧蒸気回収ライン７４を経て、第一再熱器３１に送られる。また、低圧蒸発器２２で発生した蒸気も、低圧蒸気ライン７９及び中圧蒸気回収ライン７４を介して、第一再熱器３１に送られる。すなわち、中圧蒸気タービン４２を通過した蒸気及び低圧蒸発器２２で発生した蒸気は、互いに合流して第一再熱器３１に流入する。この蒸気は、この第一再熱器３１で、高圧蒸発器２６での定圧比熱極大温度Ｔmax未満の温度にまで加熱される（下流側再熱工程）。
【０１０９】
第一再熱器３１で加熱された蒸気は、加熱前再熱蒸気ライン８７を経て、中間冷却器１５に流入する。中間冷却器１５（加熱器ｈ）に流入した蒸気は、空気圧縮機２の第一圧縮部２ａからの空気との熱交換より、高圧蒸発器２６での定圧比熱極大温度Ｔmax以上の温度にまで加熱される（ボイラー外加熱工程）。中間冷却器１５で加熱された蒸気は、低圧蒸気供給ライン（加熱後ライン）７５を経て、低圧蒸気タービン４３に流入する。
【０１１０】
低圧蒸気タービン４３に流入した蒸気は、この低圧蒸気タービン４３のタービンロータを回転させる。このタービンロータの回転で、低圧蒸気タービン４３に接続されている発電機６３が発電する。低圧蒸気タービン４３を通過した蒸気は、復水器５１に流入し、この復水器５１で水に戻される。復水器５１中の水は、給水ポンプ５３により、低圧節炭器２１に、供給される。
【０１１１】
本実施形態でも、接続ラインＬＣ及びボイラー内ラインＬＢ中の低温部ＬＬを流れる定圧比熱極大温度Ｔmax未満の温度の蒸気又は水を、加熱器ｈで、定圧比熱極大温度Ｔmax以上に加熱している。従って、本実施形態でも、高圧蒸発器２６で発生する蒸気の流量を増大し、蒸気タービン設備４０ｅの出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【０１１２】
本実施形態では、以上で説明したように、高圧蒸気タービン（第一蒸気タービン）４１から排気された排気蒸気を第一空気冷却器１１（加熱器ｈ）及び第二空気冷却器１２（加熱器ｈ）で加熱した後（ボイラー外加熱工程）、この蒸気を中圧蒸気タービン４２（第二蒸気タービン）４２に送る。さらに、本実施形態では、中圧蒸気タービン４２（第一蒸気タービン）４２から排気された排気蒸気を中間冷却器１５（加熱ｈ）で加熱した後（ボイラー外加熱工程）、この蒸気を低圧蒸気タービン（第二蒸気タービン）４３に送る。このように、一つのボイラープラントＢＰ６内で、二つのボイラー外加熱工程を並列的に実行してもよい。
【０１１３】
また、先の述べた各実施形態では、蒸気タービンから排気された蒸気を再熱器で加熱した後、加熱器ｈで加熱している。しかしながら、本実施形態のように、蒸気タービン（高圧蒸気タービン４１）から排気された蒸気を、再熱器を介さずに、加熱器ｈ（第一空気冷却器１１及び第二空気冷却器１２）で加熱してもよい。
【０１１４】
なお、本実施形態では、高圧蒸気タービン４１から排気された排気蒸気を第一空気冷却器１１及び第二空気冷却器１２で加熱するが、この排気蒸気を中間冷却器１５や、高温部品で加熱してもよい。また、本実施形態では、中圧蒸気タービン４２から排気された蒸気を中間冷却器１５で冷却するが、この排気蒸気を第一空気冷却器１１及び第二空気冷却器１２や、高温部品で加熱してもよい。
【０１１５】
また、本実施形態では、二つのボイラー外加熱工程を並列的に実行するが、いずれか一方のボイラー外加熱工程のみを実行するようにしてもよい。
【０１１６】
「ボイラープラントの第七実施形態」
図７を参照して、本発明に係るボイラープラントの第七実施形態について説明する。
【０１１７】
本実施形態のボイラープラントＢＰ７も、以上の各実施形態と同様、ガスタービン設備１０ｆと、排熱回収ボイラー２０と、蒸気タービン設備４０と、煙突３９と、を備える。本実施形態の排熱回収ボイラー２０は、第一実施形態の排熱回収ボイラー２０と同一である。また、本実施形態の蒸気タービン設備４０も、第一実施形態の蒸気タービン設備４０と同一である。一方、本実施形態のガスタービン設備１０ｆは、第一実施形態のガスタービン設備１０と異なる。
【０１１８】
本実施形態のガスタービン設備１０ｆは、ガスタービン１ｆと、第一空気冷却器１１ａと、第二空気冷却器１２ａと、第三空気冷却器１１ｂと、第四空気冷却器１２ｂと、第一ブースト圧縮機１３ａと、第二ブースト圧縮機１３ｂと、中間冷却器１５と、を備える。ガスタービン１ｆは、空気圧縮機２と、第一燃焼器３ａと、第二燃焼器３ｂと、第一タービン４ａと、第二タービン４ｂと、を備える。第一燃焼器３ａは、空気圧縮機２からの圧縮空気中で燃料Ｆを燃焼させて、第一燃焼ガスを生成する。第一タービン４ａは、この第一燃焼ガスで駆動する。第二燃焼器３ｂは、第一タービン４ａから排気された第一燃焼ガス中で燃料Ｆを燃焼させて、第二燃焼ガスを生成する。第二タービン４ｂは、この第二燃焼ガスで駆動する。第二タービン４ｂから排気された第二燃焼ガスは、排気ガスＥＧとして、排熱回収ボイラー２０に送られる。本実施形態の空気圧縮機２は、第二実施形態の空気圧縮機２と同様、空気を圧縮する第一圧縮部２ａと、第一圧縮部２ａで圧縮された空気をさらに圧縮する第二圧縮部２ｂとを有する。中間冷却器１５は、第一圧縮部２ａで圧縮された空気を冷却して、第二圧縮部２ｂに送る。
【０１１９】
第一空気冷却器１１ａは、空気圧縮機２から吐出された空気の一部を冷却して、この空気を第一タービン４ａの静翼に送る。第二空気冷却器１２ａは、空気圧縮機２から吐出された空気の一部を冷却する。第一ブースト圧縮機１３ａは、第二空気冷却器１２ａで冷却された空気を昇圧して、この空気を第一燃焼器３ａに送る。第三空気冷却器１１ｂは、空気圧縮機２から吐出された空気の一部を冷却して、この空気を第二タービン４ｂの静翼に送る。第四空気冷却器１２ｂは、空気圧縮機２から吐出された空気の一部を冷却する。第二ブースト圧縮機１３ｂは、第四空気冷却器１２ｂで冷却された空気を昇圧して、この空気を第二燃焼器３ｂに送る。
【０１２０】
空気圧縮機２と、第一空気冷却器１１ａの空気入口及び第二空気冷却器１２ａの空気入口とは、圧縮空気ライン８１で接続されている。第一空気冷却器１１ａの空気出口と第一タービン４ａの静翼の冷却空気通路（媒体通路）９ｐにおける空気入口とは、第一冷却空気ライン８２ａで接続されている。第二冷却空気器１２ａの空気出口と第一燃焼器３ａの冷却空気通路（媒体通路）３ｐにおける空気入口とは、第二冷却空気ライン８３ａで接続されている。この第二冷却空気ライン８３ａ中に第一ブースト圧縮機１３ａが設けられている。第一圧縮部２ａの空気出口と、第三空気冷却器１１ｂ及び第四空気冷却器１２ｂの空気入口とは、中間圧縮空気ライン８１ｆで接続されている。また、第一圧縮部２ａの空気吐出口と中間冷却器１５の空気入口とは、第一中間圧縮空気ライン８４ａで接続されている。中間冷却器１５の空気出口と第二圧縮部２ｂの空気吸込口とは、第二中間圧縮空気ライン８４ｂで接続されている。第三空気冷却器１１ｂの空気出口と第二タービン４ｂの静翼の冷却空気通路（媒体通路）９ｐにおける空気入口とは、第三冷却空気ライン８２ｂで接続されている。第四冷却空気冷却器１２ｂの空気出口と第二燃焼器３ｂの冷却空気通路（媒体通路）３ｐにおける空気入口とは、第四冷却空気ライン８３ｂで接続されている。この第四冷却空気ライン８３ｂ中に第二ブースト圧縮機１３ｂが設けられている。
【０１２１】
高圧過熱器２７の蒸気出口と高圧蒸気タービン４１の蒸気入口とは、高圧蒸気供給ライン７１で接続されている。また、高圧蒸気タービン４１の蒸気出口と第一再熱器３１の蒸気入口とは、高圧蒸気回収ライン７２で接続されている。この高圧蒸気回収ライン７２には、低圧蒸発器２２で発生した蒸気を第一再熱器３１に送るための低圧蒸気ライン７９が接続されている。第一再熱器３１の蒸気出口と、第一空気冷却器１１ａの蒸気入口、第二空気冷却器１２ａの蒸気入口、第三空気冷却器１１ｂの蒸気入口、第四空気冷却器１２ｂの蒸気入口及び中間冷却器１５の蒸気入口とは、加熱前再熱蒸気ライン８７ｆで接続されている。第一空気冷却器１１ａの蒸気出口、第二空気冷却器１２ａの蒸気出口、第三空気冷却器１１ｂの蒸気出口、第四空気冷却器１２ｂの蒸気出口及び中間冷却器１５の蒸気出口と第二再熱器３２の蒸気入口とは、加熱後再熱蒸気ライン８８ｆで接続されている。第二再熱器３２の蒸気出口と低圧蒸気タービン４３の蒸気入口とは、再熱蒸気供給ライン７３で接続されている。低圧蒸気タービン４３の蒸気出口と復水器５１とは、低圧蒸気タービン４３から排気された蒸気が復水器５１に供給されるよう互いに接続されている。
【０１２２】
本実施形態において、高圧蒸気タービン（第一蒸気タービン）４１を通過した蒸気は、高圧蒸気回収ライン７２を介して、第一再熱器３１に流入する。第一再熱器３１に流入した蒸気は、この第一再熱器３１で、高圧蒸発器２６での定圧比熱極大温度Ｔmax未満の温度にまで加熱される（下流側再熱工程）。第一再熱器３１で加熱された蒸気は、加熱前再熱蒸気ライン８７ｆを経て、中間冷却器１５、第一空気冷却器１１ａ、第二空気冷却器１２ａ、第三空気冷却器１１ｂ及び第四空気冷却器１２ｂに流入する。中間冷却器１５（加熱器ｈ）に流入した蒸気は、空気圧縮機２の第一圧縮部２ａからの空気との熱交換より、高圧蒸発器２６での定圧比熱極大温度Ｔmax以上の温度にまで加熱される（ボイラー外加熱工程）。中間冷却器１５で加熱された蒸気は、加熱後再熱蒸気ライン８８ｆを経て、第二再熱器３２の蒸気入口に流入する。第一空気冷却器１１ａ、第二空気冷却器１２ａ、第三空気冷却器１１ｂ及び第四空気冷却器１２ｂに流入した蒸気は、これら空気冷却器（加熱器ｈ）で、高圧蒸発器２６での定圧比熱極大温度Ｔmax以上の温度にまで加熱される（ボイラー外加熱工程）。第一空気冷却器１１ａ、第二空気冷却器１２ａ、第三空気冷却器１１ｂ及び第四空気冷却器１２ｂで加熱された蒸気は、加熱後再熱蒸気ライン８８ｆを経て、第二再熱器３２の蒸気入口に流入する。第二再熱器３２の蒸気入口に流入した蒸気は、この第二再熱器３２でさらに加熱される（上流側再熱工程）。この蒸気は、再熱蒸気供給ライン７３を介して低圧蒸気タービン（第二蒸気タービン）４３に供給される。
【０１２３】
本実施形態でも、接続ラインＬＣ及びボイラー内ラインＬＢ中の低温部ＬＬを流れる定圧比熱極大温度Ｔmax未満の温度の蒸気又は水を、加熱器ｈで、定圧比熱極大温度Ｔmax以上に加熱している。従って、本実施形態でも、高圧蒸発器２６で発生する蒸気の流量を増大し、蒸気タービン設備４０の出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【０１２４】
また、本実施形態では、複数の燃焼器とタービンとの組、複数の圧縮部を持つガスタービンの冷却空気を減温する際の排熱を回収することにより、大きな熱量を蒸気又は水の昇温に用いることができ、効果的に高圧蒸発器２６で発生する蒸気の流量を増大し、蒸気タービン設備４０の出力、効率を高めることができる。
【０１２５】
本実施形態のガスタービン１ｆは、以上で説明したように、燃焼器とタービンとの組を二組有している。このように、ガスタービンは、燃焼器とタービンとの組を二組有してもよい。さらに、ガスタービンは、燃焼器とタービンとの組を三組以上有してもよい。このように、燃焼器とタービンとの組を複数組有する場合、組毎に空気冷却器（加熱器ｈ）を設けてもよい。また、本実施形態の空気圧縮機２は、二つの圧縮部を有している。しかしながら、空気圧縮機２は、三以上の圧縮部を有してもよい。
【０１２６】
「ボイラープラントの第八実施形態」
図８を参照して、本発明に係るボイラープラントの第八実施形態について説明する。
【０１２７】
本実施形態のボイラープラントＢＰ８も、以上の各実施形態と同様、ガスタービン設備１０ｆと、排熱回収ボイラー２０と、蒸気タービン設備４０ｅと、煙突３９と、を備える。本実施形態の排熱回収ボイラー２０は、第一実施形態及び第七実施形態の排熱回収ボイラー２０と同一である。また、本実施形態の蒸気タービン設備４０ｅは、第六実施形態の蒸気タービン設備４０ｅと同一である。よって、本実施形態の蒸気タービン設備４０ｅは、高圧蒸気タービン４１と、中圧蒸気タービン４２と、低圧蒸気タービン４３と、を有する。本実施形態のガスタービン設備１０ｆは、第七実施形態のガスタービン設備１０ｆと同じである。よって、本実施形態のガスタービン設備１０ｆは、ガスタービン１ｆと、第一空気冷却器１１ａと、第二空気冷却器１２ａと、第三空気冷却器１１ｂと、第四空気冷却器１２ｂと、第一ブースト圧縮機１３ａと、第二ブースト圧縮機１３ｂと、中間冷却器１５と、を備える。ガスタービン１ｆは、空気圧縮機２と、第一燃焼器３ａと、第二燃焼器３ｂと、第一タービン４ａと、第二タービン４ｂと、を備える。空気圧縮機２は、第一圧縮部２ａと、第二圧縮部２ｂとを有する。
【０１２８】
高圧過熱器２７の蒸気出口と高圧蒸気タービン４１の蒸気入口とは、高圧蒸気供給ライン７１で接続されている。高圧蒸気タービン４１の蒸気出口と、第一空気冷却器１１ａの蒸気入口、第二空気冷却器１２ａの蒸気入口、第三空気冷却器１１ｂの蒸気入口及び第四空気冷却器１２ｂの蒸気入口とは、高圧蒸気回収ライン（加熱前ライン）７２ｇで接続されている。第一空気冷却器１１ａの蒸気出口、第二空気冷却器１２ａの蒸気出口、第三空気冷却器１１ｂの蒸気出口及び第四空気冷却器１２ｂの蒸気出口と、第二再熱器３２の蒸気入口とは、加熱後蒸気ライン（加熱後ライン）８８ｇで接続されている。第二再熱器３２の蒸気出口と中圧蒸気タービン４２の蒸気入口とは、再熱蒸気供給ライン７３で接続されている。中圧蒸気タービン４２の蒸気出口と第一再熱器３１の蒸気入口とは、中圧蒸気回収ライン７４で接続されている。第一再熱器３１の蒸気出口と中間冷却器１５の蒸気入口とは、加熱前再熱蒸気ライン（加熱前ライン）８７で接続されている。中間冷却器１５の蒸気出口と低圧蒸気タービン４３の蒸気入口とは、低圧蒸気供給ライン（加熱後ライン）７５で接続されている。低圧蒸気タービン４３の蒸気出口と復水器５１とは、低圧蒸気タービン４３から排気された蒸気が復水器５１に供給されるよう互いに接続されている。
【０１２９】
第二高圧過熱器２８で過熱されて蒸気は、高圧蒸気供給ライン７１を介して高圧蒸気タービン４１に供給される。高圧蒸気タービン４１に供給された蒸気は、この高圧蒸気タービン４１のタービンロータを回転させる。このタービンロータの回転で、高圧蒸気タービン４１に接続されている発電機６１が発電する。高圧蒸気タービン４１を通過した高圧蒸気は、高圧蒸気回収ライン（加熱前ライン）７２ｇを介して、第一空気冷却器１１ａ、第二空気冷却器１２ａ、第三空気冷却器１１ｂ及び第四空気冷却器１２ｂに流入する。これら空気冷却器（加熱器ｈ）に流入した蒸気は、空気圧縮機２からの空気との熱交換より、高圧蒸発器２６での定圧比熱極大温度Ｔmax以上の温度にまで加熱される（ボイラー外加熱工程）。これら空気冷却器で加熱された蒸気は、加熱後蒸気ライン（加熱後ライン）８８ｇを経て、第二再熱器３２に流入する。第二再熱器３２に流入した蒸気は、この第二再熱器３２でさらに加熱される（上流側再熱工程）。この蒸気は、再熱蒸気供給ライン７３を介して中圧蒸気タービン４２に供給される。
【０１３０】
中圧蒸気タービン４２に供給された蒸気は、この中圧蒸気タービン４２のタービンロータを回転させる。このタービンロータの回転で、中圧蒸気タービン４２に接続されている発電機６２が発電する。中圧蒸気タービン４２を通過した蒸気は、中圧蒸気回収ライン７４を経て、第一再熱器３１に流入する。第一再熱器３１に流入した蒸気は、この第一再熱器３１で、高圧蒸発器２６での定圧比熱極大温度Ｔmax未満の温度にまで加熱される（下流側再熱工程）。第一再熱器３１で加熱された蒸気は、加熱前再熱蒸気ライン８７を経て、中間冷却器１５に流入する。中間冷却器１５（加熱器ｈ）に流入した蒸気は、空気圧縮機２の第一圧縮部２ａからの空気との熱交換より、高圧蒸発器２６での定圧比熱極大温度Ｔmax以上の温度にまで加熱される（ボイラー外加熱工程）。中間冷却器１５で加熱された蒸気は、低圧蒸気供給ライン（加熱後ライン）７５を経て、低圧蒸気タービン４３に流入する。
【０１３１】
低圧蒸気タービン４３に流入した蒸気は、この低圧蒸気タービン４３のタービンロータを回転させる。このタービンロータの回転で、低圧蒸気タービン４３に接続されている発電機６３が発電する。低圧蒸気タービン４３を通過した蒸気は、復水器５１に流入し、この復水器５１で水に戻される。復水器５１中の水は、給水ポンプ５３により、低圧節炭器２１に供給される。
【０１３２】
本実施形態でも、接続ラインＬＣ及びボイラー内ラインＬＢ中の低温部ＬＬを流れる定圧比熱極大温度Ｔmax未満の温度の蒸気又は水を、加熱器ｈで、定圧比熱極大温度Ｔmax以上に加熱している。従って、本実施形態でも、高圧蒸発器２６で発生する蒸気の流量を増大し、蒸気タービン設備４０の出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【０１３３】
本実施形態では、以上で説明したように、高圧蒸気タービン（第一蒸気タービン）４１から排気された排気蒸気を第一空気冷却器１１ａ（加熱器ｈ）、第二空気冷却器１２ａ（加熱器ｈ）、第三空気冷却器１１ｂ（加熱器ｈ）及び第四空気冷却器１２ｂ（加熱器ｈ）で加熱した後（ボイラー外加熱工程）、この蒸気を中圧蒸気タービン４２（第二蒸気タービン）４２に送る。さらに、本実施形態では、中圧蒸気タービン４２（第一蒸気タービン）４２から排気された排気蒸気を中間冷却器１５（加熱器ｈ）で加熱した後（ボイラー外加熱工程）、この蒸気を低圧蒸気タービン（第二蒸気タービン）４３に送る。このように、一つのボイラープラント内で、二つのボイラー外加熱工程を直列的に実行してもよい。
【０１３４】
また、本実施形態では、蒸気タービン（高圧蒸気タービン４１）からの排気蒸気を、再熱器を介さずに、加熱器ｈ（第一空気冷却器１１ａ、第二空気冷却器１２ａ、第三空気冷却器１１ｂ、第四空気冷却器１２ｂ）で加熱する（ボイラー外加熱工程）。このように、蒸気タービンからの排気蒸気に対して、下流側再熱工程を実行せずに、ボイラー外加熱工程を実行してもよい。また、本実施形態では、加熱器ｈ（中間冷却器１５）で加熱された蒸気を、再熱器を介さずに、蒸気タービン（低圧蒸気タービン４３）に供給する。このように、ボイラー外加熱工程の実行後、上流側再熱工程を実行しなくてもよい。
【０１３５】
なお、本実施形態では、高圧蒸気タービン４１から排気された排気蒸気を第一空気冷却器１１ａ、第二空気冷却器１２ａ、第三空気冷却器１１ｂ及び第四空気冷却器１２ｂで加熱するが、この排気蒸気を中間冷却器１５や、高温部品で加熱してもよい。また、本実施形態では、中圧蒸気タービン４２から排気された蒸気を中間冷却器１５で冷却するが、この排気蒸気を第一空気冷却器１１ａ、第二空気冷却器１２ａ、第三空気冷却器１１ｂ及び第四空気冷却器１２ｂや、高温部品で加熱してもよい。
【０１３６】
また、本実施形態では、二つのボイラー外加熱工程を直列的に実行するが、いずれか一方のボイラー外加熱工程のみを実行するようにしてもよい。
【０１３７】
本実施形態のガスタービン１ｆは、以上で説明したように、燃焼器とタービンとの組を二組有している。このように、ガスタービンは、燃焼器とタービンとの組を二組有してもよい。さらに、ガスタービンは、燃焼器とタービンとの組を三組以上有してもよい。このように、燃焼器とタービンとの組を複数組有する場合、組毎に空気冷却器（加熱器ｈ）を設けてもよい。また、本実施形態の空気圧縮機２は、二つの圧縮部を有している。しかしながら、空気圧縮機２は、三以上の圧縮部を有してもよい。
【０１３８】
「ボイラープラントの第九実施形態」
図９を参照して、本発明に係るボイラープラントの第九実施形態について説明する。
【０１３９】
本実施形態のボイラープラントＢＰ９も、以上の各実施形態と同様、ガスタービン設備１０ｆと、排熱回収ボイラー２０と、蒸気タービン設備４０と、煙突３９と、を備える。本実施形態の排熱回収ボイラー２０は、第一実施形態及び第七実施形態の排熱回収ボイラー２０と同一である。また、本実施形態の蒸気タービン設備４０は、第一実施形態及び第七実施形態の蒸気タービン設備４０と同一である。本実施形態のガスタービン設備１０ｈは、基本的に、第七実施形態のガスタービン設備１０ｆと同じである。よって、本実施形態のガスタービン設備１０ｈは、ガスタービン１ｆと、第一空気冷却器１１ａと、第二空気冷却器１２ａと、第三空気冷却器１１ｂと、第四空気冷却器１２ｂと、第一ブースト圧縮機１３ａと、第二ブースト圧縮機１３ｂと、中間冷却器１５と、を備える。ガスタービン１ｆは、空気圧縮機２と、第一燃焼器３ａと、第二燃焼器３ｂと、第一タービン４ａと、第二タービン４ｂと、を備える。空気圧縮機２は、第一圧縮部２ａと、第二圧縮部２ｂとを有する。本実施形態のガスタービン設備１０ｈは、さらに、燃料Ｆを加熱する第一燃料予熱器１６及び第二燃料予熱器１７を備える。
【０１４０】
第一燃料予熱器１６の燃料入口には、燃料Ｆが流れる第一燃料ライン８９ａが接続されている。第一燃料予熱器１６の燃料出口と第二燃料予熱器１７の燃料入口とは、第二燃料ライン８９ｂで接続されている。第二燃料予熱器１７の燃料出口と第一燃焼器３ａの燃料入口及び第二燃焼器３ｂの燃料入口とは、第三燃料ライン８９ｃで接続されている。
【０１４１】
高圧過熱器２７の蒸気出口と高圧蒸気タービン４１の蒸気入口とは、高圧蒸気供給ライン７１で接続されている。また、高圧蒸気タービン４１の蒸気出口と第一再熱器３１の蒸気入口とは、高圧蒸気回収ライン７２で接続されている。この高圧蒸気回収ライン７２には、低圧蒸発器２２で発生した蒸気を第一再熱器３１に送るための低圧蒸気ライン７９が接続されている。第一再熱器３１の蒸気出口と、第一空気冷却器１１ａの蒸気入口、第二空気冷却器１２ａの蒸気入口、第三空気冷却器１１ｂの蒸気入口、第四空気冷却器１２ｂの蒸気入口及び中間冷却器１５の蒸気入口とは、加熱前再熱蒸気ライン８７ｆで接続されている。第一空気冷却器１１ａの蒸気出口、第二空気冷却器１２ａの蒸気出口及び中間冷却器１５の蒸気出口と、第二再熱器３２の蒸気入口とは、第一加熱後再熱蒸気ライン８８ｈａで接続されている。第三空気冷却器１１ｂの蒸気出口及び第四空気冷却器１２ｂの蒸気出口と、第二燃料予熱器１７の蒸気入口とは、第二加熱後再熱蒸気ライン８８ｈｂで接続されている。第二燃料予熱器１７の蒸気出口と第二再熱器３２の蒸気入口とは、第三加熱後再熱蒸気ライン８８ｈｃで接続されている。第一燃料予熱器１６の蒸気入口と高圧蒸発器２６とは、高圧蒸気ライン９１で接続されている。第一燃料予熱器１６の蒸気出口と給水ライン７６とは、戻しライン９２で接続されている。第二再熱器３２の蒸気出口と低圧蒸気タービン４３の蒸気入口とは、再熱蒸気供給ライン７３で接続されている。低圧蒸気タービン４３の蒸気出口と復水器５１とは、低圧蒸気タービン４３から排気された蒸気が復水器５１に供給されるよう互いに接続されている。
【０１４２】
本実施形態において、高圧蒸発器２６で発生した蒸気の一部は、高圧蒸気ライン９１を経て、第一燃料予熱器１６に流入する。第一燃料予熱器１６で、この蒸気と燃料Ｆとを熱交換させ、燃料Ｆを加熱する一方で、蒸気を冷却して凝縮させて水にする。この水は、戻しライン９２及び給水ライン７６を経て、低圧節炭器２１に流入する。第一燃料予熱器１６で加熱された燃料は、第二燃料予熱器１７に流入する。
【０１４３】
また、本実施形態において、高圧蒸気タービン４１を通過した高圧蒸気は、高圧蒸気回収ライン７２を介して、第一再熱器３１に流入する。第一再熱器３１に流入した蒸気は、この第一再熱器３１で、高圧蒸発器２６での定圧比熱極大温度Ｔmax未満の温度にまで加熱される（下流側再熱工程）。第一再熱器３１で加熱された蒸気は、加熱前再熱蒸気ライン８７ｆを経て、中間冷却器１５、第一空気冷却器１１ａ、第二空気冷却器１２ａ、第三空気冷却器１１ｂ及び第四空気冷却器１２ｂに流入する。中間冷却器１５（加熱器ｈ）に流入した蒸気は、空気圧縮機２の第一圧縮部２ａからの空気との熱交換より、高圧蒸発器２６での定圧比熱極大温度Ｔmax以上の温度にまで加熱される（ボイラー外加熱工程）。中間冷却器１５で加熱された蒸気は、第一加熱後再熱蒸気ライン８８ｈａを経て、第二再熱器３２に流入する。第一空気冷却器１１ａ、第二空気冷却器１２ａ、第三空気冷却器１１ｂ及び第四空気冷却器１２ｂに流入した蒸気は、これら空気冷却器（加熱器ｈ）で、高圧蒸発器２６での定圧比熱極大温度Ｔmax以上の温度にまで加熱される（ボイラー外加熱工程）。第一空気冷却器１１ａ及び第二空気冷却器１２ａで加熱された蒸気は、第一加熱後再熱蒸気ライン８８ｈａを経て、第二再熱器３２に流入する。第三空気冷却器１１ｂ及び第四空気冷却器１２ｂで加熱された蒸気は、第二加熱後再熱蒸気ライン８８ｈｂを経て、第二燃料予熱器１７に流入する。第二燃料予熱器１７では、第一燃料予熱器１６で加熱された燃料をこの蒸気でさらに加熱する（燃料予熱工程）。第二燃料予熱器１７を通過した蒸気は、第三加熱後再熱蒸気ライン８８ｈｃを経て、第二再熱器３２に流入する。第二再熱器３２に流入した蒸気は、この第二再熱器３２でさらに加熱される（上流側再熱工程）。この蒸気は、再熱蒸気供給ライン７３を介して低圧蒸気タービン４３（第二蒸気タービン）に供給される。また、第二燃料予熱器１７で加熱された燃料は、第三燃料ライン８９ｃを経て、第一燃焼器３ａ及び第二燃焼器３ｂに供給される。
【０１４４】
本実施形態でも、接続ラインＬＣ及びボイラー内ラインＬＢ中の低温部ＬＬを流れる定圧比熱極大温度Ｔmax未満の温度の蒸気又は水を、加熱器ｈで、定圧比熱極大温度Ｔmax以上に加熱している。従って、本実施形態でも、高圧蒸発器２６で発生する蒸気の流量を増大し、蒸気タービン設備４０の出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【０１４５】
また、本実施形態では、加熱器ｈで加熱された蒸気で、燃焼器３ａ，３ｂに流入する燃料を加熱する。このため、燃焼器３ａ，３ｂでの燃料の燃焼効率が高まり、ガスタービン１ｆの効率を高めることができる。また、本実施形態の燃料予熱器１６，１７では、酸素を実質的に含まない蒸気で燃料Ｆを加熱するため、この燃料予熱器１６，１７内での燃料Ｆの発火を抑えることができる。
【０１４６】
「ボイラープラントの第十実施形態」
図１０を参照して、本発明に係るボイラープラントの第十実施形態について説明する。
【０１４７】
本実施形態のボイラープラントＢＰ１０は、図１０に示すように、以上の各実施形態のボイラープラントと同様、ガスタービン設備１０ｉと、排熱回収ボイラー２０ｉと、蒸気タービン設備４０ｅと、煙突３９と、を備える。
【０１４８】
ガスタービン設備１０ｉは、第一実施形態のガスタービン設備１０と同様、ガスタービン１と、空気を冷却する第一空気冷却器１１ｉ及び第二空気冷却器１２と、ブースト圧縮機１３と、を備える。ガスタービン１は、第一実施形態のガスタービン１と同様、空気Ａを圧縮する空気圧縮機２と、空気圧縮機２で圧縮された空気中で燃料Ｆを燃焼させて燃焼ガスを生成する燃焼器３と、高温高圧の燃焼ガスにより駆動するタービン４と、を備える。
【０１４９】
第一空気冷却器１１ｉは、一次空気冷却器１１ｆと二次空気冷却器１１ｓとを有する。一次空気冷却器１１ｆは、空気圧縮機２から吐出された空気の一部を冷却する。また、二次空気冷却器１１ｓは、一次空気冷却器１１ｆで冷却された空気をさらに冷却して、例えば、この空気を高温部品の一つである静翼９に送る。第二空気冷却器１２は、空気圧縮機２から吐出された空気の一部を冷却する。ブースト圧縮機１３は、第二空気冷却器１２で冷却された空気を昇圧して、例えば、この空気を高温部品の一つである燃焼器３に送る。空気圧縮機２と一次空気冷却器１１ｆの空気入口とは、圧縮空気ライン８１で接続されている。一次空気冷却器１１ｆの空気出口と二次空気冷却器１１ｓの空気入口とは、一次空気冷却ライン８２ｆで接続されている。二次空気冷却器１１ｓの空気出口と静翼９の冷却空気通路（媒体通路）９ｐにおける空気入口とは、第一冷却空気ライン８２で接続されている。
【０１５０】
蒸気タービン設備４０ｅは、第六実施形態の蒸気タービン設備４０ｅと同一である。よって、この蒸気タービン設備４０ｅは、高圧蒸気タービン４１、中圧蒸気タービン４２及び低圧蒸気タービン４３を備える。
【０１５１】
排熱回収ボイラー２０ｉは、ガスタービン１からの排気ガスＥＧ（加熱流体）の熱を利用して蒸気を発生させる。この排熱回収ボイラー２０ｉは、低圧節炭器（ECO−LP）２１、低圧蒸発器（EVA−LP）２２、中圧ポンプ２４、高圧ポンプ２３、第一高圧節炭器（ECO−HP）２５、中圧節炭器（ECO−IP）３５、中圧蒸発器（EVA−IP）３６、中圧過熱器（SH1−IP）３８、低圧過熱器（SH1−LP）３７、第二高圧節炭器２５ｉ、高圧蒸発器（EVA−HP）２６、第一高圧過熱器（SH1−HP）２７、第一再熱器（RH1）３１ｉ、第二高圧過熱器（SH2−HP）２８、第二再熱器（RH1）３２ｉを有する。低圧節炭器２１、低圧蒸発器２２、第一高圧節炭器２５、中圧節炭器３５、中圧蒸発器３６、中圧過熱器３８、低圧過熱器３７、第二高圧節炭器２５ｉ、高圧蒸発器２６、第一高圧過熱器２７、第一再熱器３１ｉ、第二高圧過熱器２８、第二再熱器３２ｉは、排気ガスＥＧの流れ方向における下流側から上流側に向かって、この順序で配置されている。なお、本実施形態で、排気ガスＥＧの流れ方向における第一高圧節炭器２５の位置と中圧節炭器３５の位置とは、実質的に同じである。また、排気ガスＥＧの流れ方向における中圧過熱器３８の位置と低圧過熱器３７の位置とは、実質的に同じである。排気ガスＥＧの流れ方向における第二高圧過熱器２８の位置と第二再熱器３２ｉの位置とは、実質的に同じである。
【０１５２】
低圧節炭器２１は、復水器５１から給水ポンプ５３により送られてきた水を加熱する。中圧ポンプ２４及び高圧ポンプ２３は、低圧節炭器２１で加熱された水の一部を昇圧する。高圧ポンプ２３で昇圧された水の圧力は、中圧ポンプ２４で昇圧された水の圧力より高い。低圧蒸発器２２は、低圧節炭器２１で加熱された水の残りを加熱して蒸気にする。低圧過熱器３７は、低圧蒸発器２２からの蒸気を過熱する。
【０１５３】
中圧節炭器３５は、中圧ポンプ２４で昇圧された水を加熱する。中圧蒸発器３６は、中圧節炭器３５で加熱された水をさらに加熱して蒸気にする。中圧過熱器３８は、中圧蒸発器３６からの蒸気を過熱する。
【０１５４】
第一高圧節炭器２５は、高圧ポンプ２３で昇圧された高圧水を加熱する。第二高圧節炭器２５ｉは、第一高圧節炭器２５で加熱された高圧水をさらに加熱する。高圧蒸発器２６は、第二高圧節炭器２５ｉで加熱された高圧水を加熱して蒸気にする。第一高圧過熱器２７は、高圧蒸発器２６からの蒸気を過熱する。第二高圧過熱器２８は、第一高圧過熱器２７で過熱された蒸気をさらに過熱する。
【０１５５】
第一再熱器３１ｉは、高圧蒸気タービン４１から排気された排気蒸気を加熱する。第二再熱器３２ｉは、第一再熱器３１ｉで加熱された蒸気をさらに加熱する。
【０１５６】
第二高圧過熱器２８の蒸気出口と高圧蒸気タービン４１の蒸気入口とは、高圧蒸気供給ライン７１で接続されている。高圧蒸気タービン４１の蒸気出口と、一次空気冷却器１１ｆの蒸気入口及び第二空気冷却器１２の蒸気入口とは、高圧蒸気回収ライン７２ｉで接続されている。中圧過熱器３８の蒸気入口と、一次空気冷却器１１ｆの蒸気入口及び第二空気冷却器１２の蒸気入口とは、中圧蒸気ライン９３iで接続されている。すなわち、一次空気冷却器１１ｆ及び第二空気冷却器１２には、高圧蒸気タービン４１から排気された蒸気と中圧過熱器３８で過熱された蒸気とが流入する。一次空気冷却器１１ｆの蒸気出口及び第二空気冷却器１２の蒸気出口と、第一再熱器３１ｉの蒸気入口とは、加熱後蒸気ライン８８ｉで接続されている。第二再熱器３２ｉの蒸気出口と中圧蒸気タービン４２の蒸気入口とは、再熱蒸気供給ライン７３で接続されている。中圧蒸気タービン４２の蒸気出口と低圧蒸気タービン４３の蒸気入口とは、中圧蒸気回収ライン７４iで接続されている。また、低圧過熱器３７の蒸気出口と低圧蒸気タービン４３の蒸気入口とは、低圧蒸気供給ライン７５iで接続されている。すなわち、低圧蒸気タービン４３には、中圧蒸気タービン４２からの蒸気と低圧過熱器３７からの蒸気とが供給される。低圧蒸気タービン４３の蒸気出口と復水器５１とは、低圧蒸気タービン４３から排気された蒸気が復水器５１に供給されるよう互いに接続されている。
【０１５７】
高圧ポンプ２３の吐出口と二次空気冷却器１１ｓの高圧水入口とは、高圧水ライン９４ｉで接続されている。二次空気冷却器１１ｓの高圧水出口と高圧蒸発器２６の高圧水入口とは、加熱高圧水ライン９５ｉで接続されている。
【０１５８】
高圧蒸気供給ライン７１、高圧蒸気回収ライン７２ｉ、加熱後蒸気ライン８８ｉ、再熱蒸気供給ライン７３、低圧蒸気供給ライン７５ｉは、いずれかも、蒸気タービンと排熱回収ボイラー２０ｉとを接続する接続ラインＬＣを構成する。排熱回収ボイラー２０ｉに含まれる低圧節炭器２１等の機器、及び、排熱回収ボイラー２０ｉに含まれる複数の機器相互を接続するラインは、ボイラー内ラインＬＢを構成する。接続ラインＬＣ中の高圧蒸気回収ライン７２ｉ、加熱後蒸気ライン８８ｉ、低圧蒸気供給ライン７５ｉは、高圧蒸発器２６での定圧比熱極大温度Ｔmax未満の温度の蒸気が流れる低温部ＬＬである。また、ボイラー内ラインＬＢ中で、高圧蒸発器２６よりも排気ガスＥＧの流れの下流側のラインも、定圧比熱極大温度Ｔmax未満の温度の蒸気又は水が流れる低温部ＬＬである。
【０１５９】
一次空気冷却器１１ｆ及び第二空気冷却器１２は、いずれも、空気圧縮機２から吐出された空気と蒸気とを熱交換させて、空気を冷却する一方で、蒸気を加熱する熱交換器である。このため、一次空気冷却器１１ｆ及び第二空気冷却器１２は、蒸気を加熱する加熱器ｈでもある。
【０１６０】
一次空気冷却器１１ｆ及び第二空気冷却器１２には、空気圧縮機２から吐出された空気の一部が圧縮空気ライン８１を介して流入する。また、一次空気冷却器１１ｆ及び第二空気冷却器１２には、中圧過熱器３８からの蒸気及び高圧蒸気タービン４１から排気された蒸気が流入する。これらの蒸気の温度は、高圧蒸発器２６での定圧比熱極大温度Ｔmax未満である。一次空気冷却器１１ｆ内及び第二空気冷却器１２内では、空気と蒸気とが熱交換して、空気が冷却される一方で、蒸気が高圧蒸発器２６での定圧比熱極大温度Ｔmax以上に加熱される（ボイラー外加熱工程）。一次空気冷却器１１ｆ及び第二空気冷却器１２で加熱された蒸気は、加熱後蒸気ライン８８ｉを経て、第一再熱器３１ｉに流入する。第一再熱器３１ｉに流入した蒸気は、この第一再熱器３１ｉで加熱される（上流側加熱工程）。第一再熱器３１ｉで加熱された蒸気は、第二再熱器３２ｉでさらに加熱された後、中圧蒸気タービン４２に供給される。第二空気冷却器１２で冷却された空気は、ブースト圧縮機１３で昇圧された後、第二冷却空気ライン８３を介して、燃焼器３の冷却空気通路（媒体通路）３ｐ内に供給され、この燃焼器３を冷却する。一次空気冷却器１１ｆで冷却された空気は、二次空気冷却器１１ｓに流入する。また、この二次空気冷却器１１ｓには、第一高圧節炭器２５からの高圧水が流入する。二次空気冷却器１１ｓ内では、空気と高圧水とが熱交換し、空気がさらに冷却され、高圧水が加熱される。二次空気冷却器１１ｓで冷却された空気は、静翼９の冷却空気通路（媒体通路）９ｐ内に供給され、この静翼９を冷却する。二次空気冷却器１１ｓを通過して加熱された高圧水は、第二高圧節炭器２５ｉに流入する。この第二高圧節炭器２５ｉには、前述したように、第一高圧節炭器２５で加熱された高圧水も流入する。第二高圧節炭器２５ｉに流入した高圧水は、前述したように、この第二高圧節炭器２５ｉで加熱された後、高圧蒸発器２６に流入する。
【０１６１】
本実施形態では、接続ラインＬＣ及びボイラー内ラインＬＢ中の低温部ＬＬを流れる定圧比熱極大温度Ｔmax未満の温度の蒸気又は水を、第一空気冷却器１１（加熱器ｈ）及び第二空気冷却器１２（加熱器ｈ）で、定圧比熱極大温度Ｔmax以上に加熱してから（ボイラー外加熱工程）、高圧蒸発器２６より上流側の第一再熱器３１ｉに戻している。このため、排気ガスＥＧが持つ熱量のうち、高圧蒸発器２６で消費できる、定圧比熱極大温度Ｔmax付近の温度レベルの熱量が多くなる。従って、高圧蒸発器２６で発生する蒸気の流量を増大し、蒸気タービン設備４０ｅの出力、効率を高めることができる。すなわち、本実施形態では、排気ガスＥＧが持つ熱のうち、定圧比熱極大温度Ｔmax付近の温度レベルの熱を高圧蒸発器２６で有効利用することができる。
【０１６２】
また、本実施形態でも、低温部ＬＬを流れる蒸気又は水を、第一空気冷却器１１（加熱器ｈ）及び第二空気冷却器１２（加熱器ｈ）で加熱する熱源として、ガスタービン設備１０の排熱（排気ガスＥＧを除く）を利用しているので、この熱源を得るためのエネルギーコストを抑えることができる。
【０１６３】
「ボイラープラントの第十一実施形態」
図１１を参照して、本発明に係るボイラープラントの第十一実施形態について説明する。
【０１６４】
本実施形態のボイラープラントＢＰ１１は、図１１に示すように、以上の各実施形態のボイラープラントと同様、ガスタービン設備１０ｉと、排熱回収ボイラー２０ｉと、蒸気タービン設備４０ｅと、煙突３９と、を備える。ガスタービン設備１０ｉは、第十実施形態のガスタービン設備１０ｉと同一である。本実施形態の排熱回収ボイラー２０ｉも、第十実施形態の排熱回収ボイラー２０ｉと同一である。蒸気タービン設備４０ｅも、第十実施形態の蒸気タービン設備４０ｅと同一である。但し、本実施形態のボイラープラントＢＰ１１は、複数の設備相互を接続するラインが第十実施形態のボイラープラントＢＰ１０と異なる。
【０１６５】
第二高圧過熱器２８の蒸気出口と高圧蒸気タービン４１の蒸気入口とは、第十実施形態と同様、高圧蒸気供給ライン７１で接続されている。第十実施形態と異なり、高圧蒸気タービン４１の蒸気出口は、高圧蒸気回収ライン７２ｊで、第一再熱器３１ｉの蒸気入口とで接続されている。一次空気冷却器１１ｆの蒸気入口及び第二空気冷却器１２の蒸気入口は、中圧過熱器３８の蒸気出口のみと、中圧蒸気ライン９３ｊで接続されている。すなわち、一次空気冷却器１１ｆ及び第二空気冷却器１２には、蒸気タービンから排気された蒸気が流入せず、蒸気タービンに供給される前の蒸気のみが流入する。一次空気冷却器１１ｆの蒸気出口及び第二空気冷却器１２の蒸気出口と、第一再熱器３１ｉの蒸気入口とは、加熱後蒸気ライン８８ｊで接続されている。すなわち、第一再熱器３１ｉには、高圧蒸気タービン４１から排気された蒸気、及び一次空気冷却器１１ｆ及び第二空気冷却器１２から流出した蒸気が流入する。第二再熱器３２ｉの蒸気出口と中圧蒸気タービン４２の蒸気入口とは、第十実施形態と同様、再熱蒸気供給ライン７３で接続されている。中圧蒸気タービン４２の蒸気出口と低圧蒸気タービン４３の蒸気入口とは、第十実施形態と同様、中圧蒸気回収ライン７４ｉで接続されている。また、低圧過熱器３７の蒸気出口と低圧蒸気タービン４３の蒸気入口とは、第十実施形態と同様、低圧蒸気供給ライン７５ｉで接続されている。
【０１６６】
高圧ポンプ２３の吐出口と二次空気冷却器１１ｓの高圧水入口とは、高圧水ライン９４ｉで接続されている。二次空気冷却器１１ｓの高圧水出口と高圧蒸発器２６の高圧水入口とは、加熱高圧水ライン９５ｉで接続されている。
【０１６７】
高圧蒸気供給ライン７１、高圧蒸気回収ライン７２ｊ、再熱蒸気供給ライン７３、低圧蒸気供給ライン７５ｉは、いずれかも、蒸気タービンと排熱回収ボイラー２０ｉとを接続する接続ラインＬＣを構成する。排熱回収ボイラー２０ｉに含まれる低圧節炭器２１等の機器、及び、排熱回収ボイラー２０ｉに含まれる複数の機器相互を接続するラインは、ボイラー内ラインＬＢを構成する。接続ラインＬＣ中の高圧蒸気回収ライン７２ｊ、低圧蒸気供給ライン７５ｉは、高圧蒸発器２６での定圧比熱極大温度Ｔmax未満の温度の排気蒸気が流れる低温部ＬＬである。また、ボイラー内ラインＬＢ中で、高圧蒸発器２６よりも排気ガスＥＧの流れの下流側のラインも、前記定圧比熱極大温度Ｔmax未満の温度の蒸気又は水が流れる低温部ＬＬである。
【０１６８】
一次空気冷却器１１ｆ及び第二空気冷却器１２は、いずれも、空気圧縮機２から吐出された空気と蒸気とを熱交換させて、空気を冷却する一方で、蒸気を加熱する熱交換器である。このため、一次空気冷却器１１ｆ及び第二空気冷却器１２は、蒸気を加熱する加熱器ｈでもある。
【０１６９】
一次空気冷却器１１ｆ及び第二空気冷却器１２には、第十実施形態と同様、空気圧縮機２から吐出された空気の一部が圧縮空気ライン８１を介して流入する。また、一次空気冷却器１１ｆ内及び第二空気冷却器１２には、中圧過熱器３８からの蒸気のみが流入する。この蒸気の温度は、高圧蒸発器２６での定圧比熱極大温度Ｔmax未満である。一次空気冷却器１１ｆ内及び第二空気冷却器１２内では、空気と蒸気とが熱交換して、空気が冷却される一方で、蒸気が高圧蒸発器２６での定圧比熱極大温度Ｔmax以上に加熱される（ボイラー外加熱工程）。一次空気冷却器１１ｆ及び第二空気冷却器１２で加熱された蒸気は、加熱後蒸気ライン８８ｊを経て、第一再熱器３１ｉに流入する。第一再熱器３１ｉに流入した蒸気は、この第一再熱器３１ｉで加熱される（上流側再熱工程）。第一再熱器３１ｉで加熱された蒸気は、第二再熱器３２ｉでさらに加熱された後、中圧蒸気タービン４２に供給される。第二空気冷却器１２で冷却された空気は、ブースト圧縮機１３で昇圧された後、第二冷却空気ライン８３を介して、燃焼器３の冷却空気通路（媒体通路）３ｐ内に供給され、この燃焼器３を冷却する。一次空気冷却器１１ｆで冷却された空気は、二次空気冷却器１１ｓに流入する。また、この二次空気冷却器１１ｓには、第一高圧節炭器２５からの高圧水が流入する。二次空気冷却器１１ｓ内では、空気と高圧水とが熱交換し、空気がさらに冷却され、高圧水が加熱される。二次空気冷却器１１ｓで冷却された空気は、静翼９の冷却空気通路（媒体通路）９ｐ内に供給され、この静翼９を冷却する。二次空気冷却器１１ｓを通過して加熱された高圧水は、第二高圧節炭器２５ｉに流入する。この第二高圧節炭器２５ｉには、前述したように、第一高圧節炭器２５で加熱された高圧水も流入する。第二高圧節炭器２５ｉに流入した高圧水は、前述したように、この第二高圧節炭器２５ｉで加熱された後、高圧蒸発器２６に流入する。
【０１７０】
本実施形態でも、第十実施形態と同様、接続ラインＬＣ及びボイラー内ラインＬＢ中の低温部ＬＬを流れる定圧比熱極大温度Ｔmax未満の温度の蒸気又は水を、第一空気冷却器１１（加熱器）及び第二空気冷却器１２（加熱器）で、定圧比熱極大温度Ｔmax以上に加熱してから、高圧蒸発器２６より上流側の第一再熱器３１ｉに戻している。従って、高圧蒸発器２６で発生する蒸気の流量を増大し、蒸気タービン設備４０の出力、効率を高めることができる。すなわち、本実施形態でも、排気ガスＥＧが持つ熱のうち、定圧比熱極大温度Ｔmax付近の温度レベルの熱を高圧蒸発器２６で有効利用することができる。
【０１７１】
先に述べた各実施形態の加熱器は、蒸気タービンから排気された蒸気を加熱する。一方、本実施形態の加熱器は、蒸気タービンに供給される前の蒸気のみを加熱する。すなわち、加熱器は、蒸気タービンから排気された蒸気のみを加熱しても、蒸気タービンに供給される前の蒸気のみを加熱しても、蒸気タービンから排気された蒸気及び蒸気タービンに供給される前の蒸気を加熱してもよい。
【０１７２】
「ボイラープラントの第十二実施形態」
図１２を参照して、本発明に係るボイラープラントの第十二実施形態について説明する。
【０１７３】
本実施形態のボイラープラントＢＰ１２は、図１２に示すように、ボイラー２０ｋと、蒸気タービン設備４０ｋと、他のプラント内での熱を利用して蒸気を加熱するプラント外加熱器５９と、を備える。
【０１７４】
蒸気タービン設備４０ｋは、高圧蒸気タービン４１と、中圧蒸気タービン４２と、低圧蒸気タービン４３と、低圧蒸気タービン４３から排気された蒸気を水に戻す復水器５１と、復水器５１からの水を昇圧する復水ポンプ５４と、復水ポンプ５４で昇圧された水をさらに昇圧してボイラー２０ｋに送る給水ポンプ５３と、復水器５１からの水を加熱する給水加熱器５５，５６，５７と、を備える。高圧蒸気タービン４１のタービンロータ、中圧蒸気タービン４２のタービンロータ、低圧蒸気タービン４３のタービンロータには、それぞれ、発電機６１，６２，６３のロータが接続されている。給水加熱器５５，５６，５７には、復水器５１からの水を一次加熱する一次給水加熱器５５と、一次給水加熱器５５で加熱された水をさらに加熱する二次給水加熱器５６と、二次給水加熱器５６で加熱された水をさらに加熱する三次給水加熱器５７とがある。給水ポンプ５３は、一次給水加熱器５５と二次給水加熱器５６との間に配置され、一次給水加熱器５５で加熱された水を昇圧し、この水を二次給水加熱器５６及び三次給水加熱器５７を介してボイラー２０ｋに送る。
【０１７５】
以上の各実施形態のボイラープラントにおけるボイラーは、火炉を有さず、ガスタービンからの排気ガスＥＧの熱を利用して蒸気を発生させる排熱回収ボイラーである。一方、本実施形態のボイラープラントＢＰ１２におけるボイラー２０ｋは、火炉３1ｋを有するボイラーである。このボイラー２０ｋ内には、火炉３１ｋで発生した燃焼ガスが流れる。ボイラー２０ｋは、この燃焼ガスにより水等を加熱し、蒸気を生成する。ボイラー２０ｋから排気された燃焼ガスは、煙突３９を経由して大気に放出される。
【０１７６】
本実施形態のボイラー２０ｋは、油やガス等の燃料を燃焼させる火炉３１ｋと、水を加熱する節炭器２１ｋと、節炭器２１ｋで加熱された水を蒸気にする蒸発器２２ｋと、蒸発器２２ｋで発生した熱を過熱して高圧蒸気を生成する過熱器２３ｋと、高圧蒸気タービン４１から排気された蒸気を加熱する第一再熱器２４ｋ及び第二再熱器２５ｋと、を有する。
【０１７７】
ここで、ボイラー２０ｋ内を流れる燃焼ガスの流れ方向で、火炉３１ｋを基準にして煙突３９が存在する側を下流側、その反対側を上流側とする。節炭器２１ｋ、第一再熱器２４ｋ、蒸発器２２ｋ、第二再熱器２５ｋと、過熱器２３ｋ、火炉３１ｋは、ボイラー２０ｋの下流側から上流側に向かって、この順序で配置されている。
【０１７８】
過熱器２３ｋの蒸気出口と高圧蒸気タービン４１の蒸気入口とは、高圧蒸気供給ライン７１で接続されている。高圧蒸気タービン４１の蒸気出口と第一再熱器２４ｋの蒸気入口とは、高圧蒸気回収ライン７２ｋで接続されている。第一再熱器２４ｋの蒸気出口とプラント外加熱器５９の蒸気入口とは、加熱前蒸気ライン８７ｋで接続されている。プラント外加熱器５９の蒸気出口と第二再熱器２５ｋの蒸気入口とは、加熱後蒸気ライン８８ｋで接続されている。第二再熱器２５ｋの蒸気出口と中圧蒸気タービン４２の蒸気入口とは、再熱蒸気供給ライン７３ｋで接続されている。中圧蒸気タービン４２の蒸気出口と低圧蒸気タービン４３の蒸気入口とは、中圧蒸気回収ライン７４ｋで接続されている。低圧蒸気タービン４３の蒸気出口と復水器５１とは、低圧蒸気タービン４３から排気された蒸気が復水器５１に供給されるよう互いに接続されている。
【０１７９】
復水器５１と節炭器２１ｋとは、給水ライン７６ｋで接続されている。復水ポンプ５４、一次給水加熱器５５、給水ポンプ５３、二次給水加熱器５６、三次給水加熱器５７は、水の流れの上流側から下流側に向かって、この順序で配置されている。低圧蒸気タービン４３の蒸気抽気口と一次給水加熱器５５とは、この蒸気抽気口から抽気された蒸気を、一次給水加熱器５５での熱源として一次給水加熱器５５に送る低圧抽気ライン８３ｋで接続されている。中圧蒸気タービン４２の蒸気抽気口と二次給水加熱器５６とは、この蒸気抽気口から抽気された蒸気を、二次給水加熱器５６での熱源として二次給水加熱器５６に送る中圧抽気ライン８２ｋで接続されている。高圧蒸気タービン４１の蒸気抽気口と三次給水加熱器５７とは、この蒸気抽気口から抽気された蒸気を、三次給水加熱器５７での熱源として三次給水加熱器５７に送る高圧抽気ライン８１ｋで接続されている。
【０１８０】
高圧蒸気供給ライン７１、高圧蒸気回収ライン７２ｋ、再熱蒸気供給ライン７３ｋは、いずれかも、蒸気タービンとボイラー２０ｋとを接続する接続ラインＬＣを構成する。ボイラー２０ｋに含まれる節炭器２１ｋ等の機器、及び、ボイラー２０ｋに含まれる複数の機器相互を接続するラインは、ボイラー内ラインＬＢを構成する。接続ラインＬＣ中の高圧蒸気回収ライン７２ｋは、蒸発器２２ｋでの定圧比熱極大温度Ｔmax未満の温度の蒸気が流れる低温部ＬＬである。また、ボイラー内ラインＬＢ中で、蒸発器２２ｋよりも燃焼ガスの流れの下流側のラインも、前記定圧比熱極大温度Ｔmax未満の温度の蒸気又は水が流れる低温部ＬＬである。
【０１８１】
次に、本実施形態のボイラープラントＢＰ１２の動作について説明する。
【０１８２】
ボイラー２０ｋ中で、最も下流側の節炭器２１ｋには、複数の給水加熱器５５，５６，５７で加熱された水が供給される。節炭器２１ｋは、この水を燃焼ガスと熱交換させて加熱する。節炭器２１ｋで加熱された水は、火炉３１ｋに設けられている水管等を経由して蒸発器２２ｋに送られる。蒸発器２２ｋでは、この水をさらに加熱して蒸気にする。この蒸気は、火炉３８ｋに設けられている水管等を経由して過熱器２３ｋに送られる。過熱器２３ｋでは、この蒸気を過熱する。この蒸気は、高圧蒸気供給ライン７１を介して高圧蒸気タービン４１に供給される。
【０１８３】
高圧蒸気タービン４１を通過した蒸気は、高圧蒸気回収ライン７２ｋを介して、第一再熱器２４ｋに送られる。第一再熱器２４ｋでは、この蒸気を蒸発器２２ｋでの定圧比熱極大温度Ｔmax未満の温度にまで加熱する。プラント外加熱器５９では、この蒸気を蒸発器２２ｋでの定圧比熱極大温度Ｔmax以上の温度にまで加熱する。第二再熱器２５ｋでは、この蒸気をさらに加熱し、中圧蒸気タービン４２に供給する。中圧蒸気タービン４２を通過した蒸気は、低圧蒸気タービン４３に供給される。低圧蒸気タービン４３を通過した蒸気は、復水器５１で水に戻り、この復水器５１から、給水ライン７６ｋを経て、節炭器２１ｋに送られる。
【０１８４】
本実施形態でも、接続ラインＬＣ及びボイラー内ラインＬＢ中の低温部ＬＬを流れる定圧比熱極大温度Ｔmax未満の温度の蒸気又は水を、プラント外加熱器５９で、定圧比熱極大温度Ｔmax以上に加熱してから、蒸発器２２ｋより上流側の第二再熱器２５ｋに戻している。このため、燃焼ガスが持つ熱量のうち、蒸発器２２ｋで消費できる、定圧比熱極大温度Ｔmax付近の温度レベルの熱量が多くなる。従って、蒸発器２２ｋで発生する蒸気の流量を増大し、蒸気タービン設備４０ｋの出力、効率を高めることができる。すなわち、本実施形態でも、燃焼ガスが持つ熱のうち、定圧比熱極大温度Ｔmax付近の温度レベルの熱を蒸発器２２ｋで有効利用することができる。
【０１８５】
すなわち、本実施形態のように、ガスタービン設備がなくても、例えば、他のプラント内での熱を利用して蒸気又は水の加熱できれば、ボイラー内の燃焼ガスが持つ熱の有効利用を図ることができる。また、本実施形態のように、蒸発器が一つしかない場合でも、ボイラー内の燃焼ガスが持つ熱の有効利用を図ることができる。
【０１８６】
「加熱器の変形例」
加熱器の各種変形例について、図１３〜図１７を参照して説明する。なお、以下で説明する各加熱器は、いずれも、他のプラント内での熱を利用して、蒸気又は水を加熱するプラント外加熱器である。これら加熱器は、第十二形態の加熱器としてのみならず、第一実施形態〜第十一実施形態の加熱器としても利用することができる。
【０１８７】
図１３に示すように、第一変形例の加熱器ｈ１は、太陽光エネルギープラント１１０内での熱を利用する。この太陽光エネルギープラント１１０は、内部を蒸気又は水が通る加熱器ｈ１に太陽光を当てるヘリオスタット１１２を備える。加熱器ｈ１内の蒸気又は水は、ヘリオスタット１１２からの太陽光により加熱される。
【０１８８】
図１４に示すように、第二変形例の加熱器ｈ２は、地熱発電プラント１２０内での熱を利用する。この地熱発電プラント１２０は、湿分分離器１２１と、蒸気タービン１２２と、発電機１２３と、を備える。湿分分離器１２１は、生産井ＰＷから蒸気を汲み上げる蒸気汲み上げライン１２５と接続されている。湿分分離器１２１は、汲み上げた蒸気から湿分を分離する。湿分分離器１２１の蒸気出口と蒸気タービン１２２の蒸気入口とは、蒸気供給ライン１２６で接続されている。湿分分離器１２１のドレン出口には、ドレン排出ライン１２７が接続されている。このドレン排出ライン１２７は、湿分分離器１２１内のドレンである高温水を還元井ＪＷに戻す。加熱器ｈ２は、このドレン排出ライン１２７に設けられている。加熱器ｈ２内の蒸気又は水は、ドレン排出ライン１２７を通る高温水で加熱される。なお、加熱器ｈ２は、例えば、蒸気汲み上げライン１２５中に設けてもよい。
【０１８９】
図１５に示すように、第三変形例の加熱器ｈ３は、バイオマスプラント１３０内での熱を利用する。このバイオマスプラント１３０は、バイオマスＢｉＯＭを燃料とするボイラー１３１を備える。バイオマスＢｉＯとしては、例えば、おが屑等の木質燃料、サトウキビ等から得られるバイオエタノール、生ごみや家畜の糞尿から発生するバイオガス等がある。加熱器ｈ３は、ボイラー１３１内に配置されている。加熱器ｈ２内の蒸気又は水は、ボイラー１３１内の燃焼ガスにより加熱される。
【０１９０】
図１６に示すように、第四変形例の加熱器ｈ４は、化学プラント１４０内での熱を利用する。この化学プラント１４０は、反応器１４１を有する。加熱器ｈ４は、反応器１４１内に配置されている。加熱器ｈ４内の蒸気又は水は、反応器１４１に投入される材料Ｍが生成物Ｐに変化する過程で発生する熱により加熱される。
【０１９１】
図１７に示すように、第五変形例の加熱器ｈ５は、製鉄所の高炉プラント１５０内での熱を利用する。この高炉プラント１５０は、高炉１５１と、高炉１５１で発生した高炉ガスを排気する煙突１５２と、高炉１５１と煙突１５２とを接続する高炉ガスライン１５３と、を有する。加熱器ｈ５は、高炉ガスライン１５３に設けられている。加熱器ｈ５内の蒸気又は水は、高炉ガスにより加熱される。
【０１９２】
「その他の変形例」
以上の各実施形態及び各変形例の蒸気タービンやガスタービンの駆動対象は、いずれも発電機である。しかしながら、蒸気タービンやガスタービンの駆動対象は、発電機でなくてもよく、例えば、ポンプ等の回転機械であってもよい。
【符号の説明】
【０１９３】
１，１ｆ：ガスタービン
２：空気圧縮機
２ａ：第一圧縮部
２ｂ：第二圧縮部
３：燃焼器
３ｐ：冷却空気通路（媒体通路）
３ｐｂ：蒸気通路（媒体通路）
３ａ：第一燃焼器
３ｂ：第二燃焼器
４：タービン
４ａ：第一タービン
４ｂ：第二タービン
５：タービンロータ
６：ロータ軸
７：動翼
８：タービンケーシング
９：静翼
９ｐ：冷却空気通路（媒体通路）
９ｐｂ：蒸気通路（媒体通路）
１０，１０ａ，１０ｂ，１０ｅ，１０ｆ，１０ｉ：ガスタービン設備
１１，１１ａ，１１ｉ：第一空気冷却器
１１ｂ：第三空気冷却器
１１ｆ：一次空気冷却器
１１ｓ：二次空気冷却器
１２，１２ａ：第二空気冷却器
１２ｂ：第四空気冷却器
１３：ブースト圧縮機
１３ａ：第一ブースト圧縮機
１３ｂ：第二ブースト圧縮機
１５：中間冷却器
１６：第一燃料予熱器
１７：第二燃料予熱器
２０，２０ｃ，２０ｉ：排熱回収ボイラー（ボイラー）
２０ｋ：ボイラー
２１：低圧節炭器
２１ｋ：節炭器
２２：低圧蒸発器
２２ｋ：蒸発器
２３：高圧ポンプ
２３ｋ：過熱器
２４：中圧ポンプ
２４ｋ：第一再熱器
２５：高圧節炭器（又は第一高圧節炭器）
２５ｉ：第二高圧節炭器
２５ｋ：第二再熱器
２６：高圧蒸発器
２７：第一高圧過熱器
２８：第二高圧過熱器
３１，３１ｉ：第一再熱器
３１ｋ：火炉
３２，３２ｉ：第二再熱器
３３：第三再熱器
３５：中圧節炭器
３６：中圧蒸発器
３７：低圧過熱器
３８：中圧過熱器
３９：煙突
４０，４０ｅ，４０ｋ：蒸気タービン設備
４１：高圧蒸気タービン（蒸気利用装置）
４２：中圧蒸気タービン４２（蒸気利用装置）
４３：低圧蒸気タービン（蒸気利用装置）
５１：復水器
５３：給水ポンプ
５４：復水ポンプ
５５：一次給水加熱器
５６：二次給水加熱器
５７：二次給水加熱器
５９：プラント外加熱器
６１,６２,６３,６５：発電機
７１：高圧蒸気供給ライン
７２，７２ｅ，７２ｇ，７２ｊ,７２ｋ：高圧蒸気回収ライン
７３，７３ｋ：再熱蒸気供給ライン
７４，７４i，７４ｋ：中圧蒸気回収ライン
７５，７５i：低圧蒸気供給ライン
７６，７６ｋ：給水ライン
７７：第一低圧水ライン
７８：第二低圧水ライン
７８ｄ：第三再熱後蒸気ライン
７９：低圧蒸気ライン
８１：圧縮空気ライン
８１ｆ：中間圧縮空気ライン
８１ｋ：高圧抽気ライン
８２，８２ａ：第一冷却空気ライン
８２ｂ：第三冷却空気ライン
８２ｆ：一次空気冷却ライン
８２ｋ：中圧抽気ライン
８３，８３ａ：第二冷却空気ライン
８３ｂ：第四冷却空気ライン
８３ｋ：低圧抽気ライン
８４ａ：第一中間圧縮空気ライン
８４ｂ：第二中間圧縮空気ライン
８７，８７ａ，８７ｂ：加熱前再熱蒸気ライン（加熱前ライン）
８７ｃ：第三再熱前蒸気ライン
８７ｋ：加熱前蒸気ライン
８８，８８ａ，８８ｂ：加熱後再熱蒸気ライン（加熱後ライン）
８８ｅ，８８ｇ，８８i，８８ｊ，８８ｋ：加熱後蒸気ライン
８８ｈａ：第一加熱後再熱蒸気ライン
８８ｈｂ：第二加熱後再熱蒸気ライン
８８ｈｃ：第三加熱後再熱蒸気ライン
８９ａ：第一燃料ライン
８９ｂ：第二燃料ライン
８９ｃ：第三燃料ライン
９１：高圧蒸気ライン
９２：戻しライン
９３ｉ，９３ｊ：中圧蒸気ライン
９４ｉ：高圧水ライン
９５ｉ:加熱高圧水ライン
１１０：太陽光エネルギープラント
１２０：地熱発電プラント
１３０：バイオマスプラント
１４０：化学プラント
１５０：高炉プラント
ＢＰ１，ＢＰ２，ＢＰ３，ＢＰ４，ＢＰ５，ＢＰ６，ＢＰ７，ＢＰ８，ＢＰ９，ＢＰ１０，ＢＰ１１，ＢＰ１２：ボイラープラント
ＥＧ：排気ガスＥＧ（加熱流体）
Ｈ：加熱装置
ｈ，ｈ１，ｈ２，ｈ３，ｈ４，ｈ５：加熱器
ＬＣ：接続ラインＬＣ
ＬＢ：ボイラー内ライン
ＬＬ：低温部
【図１】
2019173711.tif 000003
【図２】
2019173711.tif 000004
【図３】
2019173711.tif 000005
【図４】
2019173711.tif 000006
【図５】
2019173711.tif 000007
【図６】
2019173711.tif 000008
【図７】
2019173711.tif 000009
【図８】
2019173711.tif 000010
【図９】
2019173711.tif 000011
【図１０】
2019173711.tif 000012
【図１１】
2019173711.tif 000013
【図１２】
2019173711.tif 000014
【図１３】
2019173711.tif 000015
【図１４】
2019173711.tif 000016
【図１５】
2019173711.tif 000017
【図１６】
2019173711.tif 000018
【図１７】
2019173711.tif 000019
【図１８】
2019173711.tif 000020